(57)【特許請求の範囲】
【請求項１】
フェース、ソール、クラウン、並びに、上記フェース、上記ソール、および上記クラウンを結合するスカートを具備し、重心を有する本体を有するゴルフクラブヘッドにおいて、
上記本体は、上記フェースに平行に位置決めされるｘ−軸、上記フェースに鉛直に位置決めされるｙ−軸、および上記フェースを通り抜けて位置決めされるｚ−軸を伴う座標を有し、
上記本体はキャビティを有し、
上記キャビティは開口端部および終端端部を有し、上記終端端部は上記開口端部の反対側であり、
重み付けされたインサートを有し、上記重み付けされたインサートは重量端部および軽量端部を有し、上記軽量端部は上記重量端部の反対側であり、
上記重み付けされたインサートは、当該重み付けされたインサートの中心に沿い上記開口端部および上記終端端部を通り抜ける長さ方向インサート軸を有し、
上記キャビティは、当該キャビティの中心に沿い上記開口端部および上記終端端部を通り抜ける長さ方向キャビティ軸を有し、
上記キャビティは、上記重み付けされたインサートを上記開口端部を通じて第１の構成および第２の構成の双方で収容するように構成され、
上記第１の構成は、上記キャビティの上記終端端部の近くに上記重み付けされたインサートの上記重量端部を有し、
上記第２の構成は、上記キャビティの上記終端端部の近くに上記重み付けされたインサートの上記軽量端部を有し、
上記キャビティはヘッドロック機構を有し、
上記重み付けされたインサートはインサートロック機構を有し、
上記インサートロック機構は、上記インサートロック機構が上記ヘッドロック機構に対して回転させられるときに上記ヘッドロック機構と係合するように構成され、
上記インサートロック機構は、上記インサートロック機構の上記ヘッドロック機構に対する１８０度未満の回転によって上記重み付けされたインサートを上記キャビティ内にロックするように構成され、
上記ヘッドロック機構はスロットを有し、上記スロットは上記キャビティの上記長さ方向軸に対して斜めに配列され、
上記インサートロック機構は、上記スロットと係合するように構成された突起を有し、上記突起および上記スロットは、上記インサートロック機構の上記ヘッドロック機構に対する回転によって上記インサートロック機構が押圧されて上記キャビティの上記長さ方向軸に沿って上記キャビティの上記終端端部側にスライドするように構成されることを特徴とするゴルフクラブヘッド。
【請求項２】
フェース、ソール、クラウン、並びに、上記フェース、上記ソール、および上記クラウンを結合するスカートを具備し、重心を有する本体を有するゴルフクラブヘッドにおいて、
上記本体は、上記フェースに平行に位置決めされるｘ−軸、上記フェースに鉛直に位置決めされるｙ−軸、および上記フェースを通り抜けて位置決めされるｚ−軸を伴う座標を有し、
上記本体はキャビティを有し、
上記キャビティは開口端部および終端端部を有し、上記終端端部は上記開口端部の反対側であり、
重み付けされたインサートを有し、上記重み付けされたインサートは重量端部および軽量端部を有し、上記軽量端部は上記重量端部の反対側であり、
上記重み付けされたインサートは、当該重み付けされたインサートの中心に沿い上記開口端部および上記終端端部を通り抜ける長さ方向インサート軸を有し、
上記キャビティは、当該キャビティの中心に沿い上記開口端部および上記終端端部を通り抜ける長さ方向キャビティ軸を有し、
上記キャビティは、上記重み付けされたインサートを上記開口端部を通じて第１の構成および第２の構成の双方で収容するように構成され、
上記第１の構成は、上記キャビティの上記終端端部の近くに上記重み付けされたインサートの上記重量端部を有し、
上記第２の構成は、上記キャビティの上記終端端部の近くに上記重み付けされたインサートの上記軽量端部を有し、
上記キャビティはヘッドロック機構を有し、
上記重み付けされたインサートの上記軽量端部および上記重量端部の一方に選択的に結合するように構成されたインサートロック部材を有し、
上記インサートロック部材はインサートロック機構を有し、
上記インサートロック機構は、上記インサートロック機構が上記ヘッドロック機構に対して回転させられるときに上記ヘッドロック機構と係合するように構成され、
上記インサートロック機構は、上記インサートロック機構の上記ヘッドロック機構に対する１８０度未満の回転によって上記重み付けされたインサートを上記キャビティ内にロックするように構成され、
上記ヘッドロック機構はスロットを有し、上記スロットは上記キャビティの上記長さ方向軸に対して斜めに配列され、
上記インサートロック機構は、上記スロットと係合するように構成された突起を有し、上記突起および上記スロットは、上記インサートロック機構の上記ヘッドロック機構に対する回転によって上記インサートロック機構が押圧されて上記キャビティの上記長さ方向軸に沿って上記キャビティの上記終端端部側にスライドするように構成されることを特徴とするゴルフクラブヘッド。
【請求項３】
フェース、ソール、クラウン、並びに、上記フェース、上記ソール、および上記クラウンを結合するスカートを具備し、重心を有する本体を有するゴルフクラブヘッドにおいて、
上記本体は、上記フェースに平行に位置決めされるｘ−軸、上記フェースに鉛直に位置決めされるｙ−軸、および上記フェースを通り抜けて位置決めされるｚ−軸を伴う座標を有し、
上記本体はキャビティを有し、
上記キャビティは開口端部および終端端部を有し、上記終端端部は上記開口端部の反対側であり、
重み付けされたインサートを有し、上記重み付けされたインサートは重量端部および軽量端部を有し、上記軽量端部は上記重量端部の反対側であり、
上記重み付けされたインサートは、当該重み付けされたインサートの中心に沿い上記開口端部および上記終端端部を通り抜ける長さ方向インサート軸を有し、
上記キャビティは、当該キャビティの中心に沿い上記開口端部および上記終端端部を通り抜ける長さ方向キャビティ軸を有し、
上記キャビティは、上記重み付けされたインサートを上記開口端部を通じて第１の構成および第２の構成の双方で収容するように構成され、
上記第１の構成は、上記キャビティの上記終端端部の近くに上記重み付けされたインサートの上記重量端部を有し、
上記第２の構成は、上記キャビティの上記終端端部の近くに上記重み付けされたインサートの上記軽量端部を有し、
上記キャビティはヘッドロック機構を有し、
上記重み付けされたインサートに沿ってスライドして上記重み付けされたインサートの上記軽量端部および上記重量端部の一方に選択的に結合するように構成されたインサートロック部材を有し、
上記インサートロック部材はインサートロック機構を有し、
上記インサートロック機構は、上記インサートロック機構が上記ヘッドロック機構に対して回転させられるときに上記ヘッドロック機構と係合するように構成され、
上記インサートロック機構は、上記インサートロック機構の上記ヘッドロック機構に対する１８０度未満の回転によって上記重み付けされたインサートを上記キャビティ内にロックするように構成され、
上記重み付けされたインサートは回転防止機構を有し、
上記インサートロック部材は回転防止機構を有し、
上記重み付けされたインサートの回転防止機構が、上記インサートロック部材の回転防止機構と係合して上記重み付けされたインサートが上記インサートロック部材に対して回転するのを防止するように構成されることを特徴とするゴルフクラブヘッド。
【発明の詳細な説明】
【技術分野】
【０００１】
この技術は全般的にはゴルフクラブに関連するシステム、装置、および方法に関し、より具体的には改善された物理属性を有するウッドタイプのゴルフクラブヘッドに関する。
【背景技術】
【０００２】
ゴルフクラブヘッドには多くの種々の形態および型式、例えば、ウッドまたはメタル−タイプ（ドライバおよびフェアウェイウッドを含む）、アイアン−タイプ（ウェッジ−タイプのクラブヘッドを含む）、ユーティリティまたは特殊タイプ、およびパタータイプがある。これらスタイルの各々は、規定の機能および構造を有する。この発明は主に空洞ゴルフクラブヘッド、例えばウッド−タイプおよびユーティリティ−タイプ（全般にここではウッド−タイプゴルフクラブと呼ぶ）に関する。
【０００３】
ウッド−タイプまたはメタル−タイプのゴルフクラブヘッドは一般にフロントフェースすなわち打撃フェース、クラウン、ソール、および、弓状のスカートを含み、弓状のスカートはヒール、トウ、およびバックを含む。クラウンおよびスカートはしばしばシェルと呼ばれる。フロントフェースはゴルフボールと接触してこれを打撃する。複数の溝がフェース上に形成されてボールのスピンを付与するように働き、また装飾目的を実現し、これはしばしば「スコアライン」と呼ばれる。クラウンは一般にゴルファに対して特殊な外見を与え、打撃フェースに対して堅固な構造を実現する。ゴルフクラブのソールは、スイングに際して地面に接触して相互作用するのでゴルフショットに関してとくに重要である。
【０００４】
ゴルフクラブヘッドの設計が複雑であることは知られている。クラブの各部品（すなわちクラブヘッド、シャフト、グリップ、およびこれらの部品）の仕様が直接にクラブの性能に影響する。したがって、設計仕様を変更してゴルフクラブをしつらえて特別な性能特性を実現させることができる。
【０００５】
ウッド−タイプのクラブヘッドの設計および製造にはクラブヘッド構造に注意深く留意する必要がある。考慮すべき多くの要素には、材料選択、材料処理、構造的な一体性、および全体的な幾何的デザインがある。幾何的デザインの配慮の例は、ロフト、ライ、フェース角、水平フェースの膨らみ、垂直フェースロール、フェースサイズ、重心、ソールの曲率、および全体のヘッド重量を含む。クラブヘッドの内部デザインを仕上げて具体的な特徴を実現し、例えば、ホーゼルすなわちシャフト結合手段、クラブヘッドのフェースまたは本体状の周辺重み、および空洞クラブヘッド内のフィラーを含むことにより仕上げる。クラブヘッドは典型的にはステンレス鋼、アルミニウム、またはチタンから製造され、鋳造、シートメタルを圧力下で形成することによるスタンプ、鍛造、またはこれらプロセスの任意の２以上の組み合わせから製造される。
【０００６】
クラブヘッドは複数の要素から形成され、これらは溶接その他により一体になされて空洞のヘッドを形成し、これらはしばしばクラブヘッドのケースであり、これがインサート例えばソールプレートまたはクラウンプレートとともに設計される。複数要素構造にするとクラブヘッドの内部に形成されるキャビティにアクセスするのが容易になり、これにより、種々の部品、例えば内部ウェートおよびクラブシャフトをヘッドに結合することが可能になる。キャビティは空洞のままに維持されても良く、例えば発泡剤により部分的に、または完全に充填されても良い。接着剤をクラブヘッドの内部に注入して正確なスイング重さを実現し、またはクラブヘッド内にある任意の残骸を集めて保持してよい。さらに、複数のワンピースクラブヘッドを高精度の寸法誤差で製造することが困難であるので、複数部品構造を利用すれば、クラブヘッドを緊密な標準品のセットで製造できる。
【０００７】
ウッド−タイプのゴルフクラブをメタリックの材料から製造することは知られている。これらのクラブは当初では、主に、丈夫な金属、例えばステンレス鋼、アルミニウム、ベリリウム銅、その他を鋳造して、金属の本体、フェースおよびホーゼルを含む一体構造を形成することにより製造された。技術が進展するに従って、クラブのフェースの性能を向上されることが好ましくなってきた。例えば、チタン材料を用いてこれを実現する。
【０００８】
プレイヤは、最大距離および着地位置の正確性を実現する、メタルウッドドライブおよびゴルフボールの組み合わせを通常求めている。打撃後のボール飛距離は、ボールの並進運動速度の大きさおよび方向と、ボールの回転速度すなわちスピンとにより支配される。気圧、湿度、温度および風速を含む環境条件がさらにボールの飛びに影響を与える。しかしながら、環境の効果はゴルフ用品メーカのコントロールを越えている。ゴルフボールの正確な着地も多くの要素により決定される。これらの要素のうちのいくつかは、クラブヘッド設計例えば重心やクラブヘッドの柔軟性に起因する。
【０００９】
ウッド−タイプのクラブヘッドの重量分配を向上させて、ボールとの接触時にクラブがオープンにならないようにするための既知の手法は、通常、本体鋳造自体に重量を付加することや、クラブ中の所定の位置に重量エレメントを戦略的に付加することを含む。重量エレメントをウッド−タイプのクラブヘッドに組みこむために多くの努力がなされてきた。これら重量エレメントは通常では所定の位置に配置され、これがボールの飛行によい影響を与え、特定のゴルファの欠点を解消する。
【００１０】
クラブヘッドのソールは、ゴルフショットの際に地面と接触して相互作用するので、ゴルフショットにおいてとくに重要である。クラブの性能を最大化する多くのソール構造がある。典型的には、クラブのソールは若干曲がって、クラブヘッドが地面に配置されるときに、その先端が地面より上になるようになっている。クラブの前面に対する曲がりは、一般にバウンスを実現する。バウンスにより、クラブが地面に入り込んで実質的にクラブヘッド速度を低下させることを防止する。後端に対する曲がりは、一般に、クラブヘッドがバックスイング中に地面に当たるのを防止する。
【００１１】
この発明は、クラブの操作性を向上させるウッド−タイプのゴルフクラブ用の改良された重み付けシステムに向けられている。
【発明の開示】
【００１２】
ここで説明されるシステム、方法、および装置は、複数の創作的な側面を有し、そのいずれの１つもそれらの所望の属性に対して不可欠でもなく、また、その要因をなすものでもない。ここで、有益な特徴のいくつかについて、特許請求の範囲を限定することなく、以下にまとめて示す。
【００１３】
この技術の１つの非制約的な実施例は、フェース、ソール、クラウン、並びに、上記フェース、上記ソール、および上記クラウンを結合するスカートを具備し、重心を有する本体を有するゴルフクラブヘッドを含み；上記本体は、上記クラブフェースに平行に位置決めされるｘ−軸、上記クラブフェースに垂直に位置決めされるｙ−軸、および上記クラブフェースを通り抜けて位置決めされるｚ−軸を伴う座標を有し；上記本体はキャビティを有し；上記キャビティは開口端部および終端端部を有し、上記終端端部は上記開口端部の反対側であり；重み付けされたインサートを有し、上記重み付けされたインサートは重量端部および軽量端部を有し、上記軽量端部は上記重量端部の反対側であり；上記重み付けされたインサートは、当該重み付けされたインサートの中心に沿い上記開口端部および上記終端端部を通り抜ける長さ方向インサート軸を有し；上記キャビティは、当該キャビティの中心に沿い上記開口端部および上記終端端部を通り抜ける長さ方向キャビティ軸を有し；上記キャビティは、上記重み付けされたインサートを上記開口端部を通じて第１の構成および第２の構成の双方で収容するように構成され；上記第１の構成は、上記キャビティの上記終端端部の近くに上記重み付けされたインサートの上記重量端部を有し；上記第２の構成は、上記キャビティの上記終端端部の近くに上記重み付けされたインサートの上記軽量端部を有し；上記キャビティはヘッドロック機構を有し；上記重み付けされたインサートはインサートロック機構を有し；上記インサートロック機構は、上記インサートロック機構が上記ヘッドロック機構に対して回転させられるときに上記ヘッドロック機構と係合するように構成され；上記インサートロック機構は、上記インサートロック機構の上記ヘッドロック機構に対する１８０度未満の回転によって上記重み付けされたインサートを上記キャビティ内にロックするように構成され；上記ヘッドロック機構はスロットを有し、上記スロットは上記キャビティの上記長さ方向軸に対して斜めに配列され；上記インサートロック機構は、上記スロットと係合するように構成された突起を有し、上記突起および上記スロットは、上記インサートロック機構の上記ヘッドロック機構に対する回転によって上記インサートロック機構が押圧されて上記キャビティの上記長さ方向軸に沿って上記キャビティの上記終端端部側にスライドするように構成される。
【００１４】
この技術の付加的な非制約的な実施例において、上記スロットは、上記インサートロック機構がロック位置にあるときに上記突起を収容するように構成された戻り止めを有する。
【００１５】
この技術の付加的な非制約的な実施例は、さらに、上記キャビティ内にバネを有し、上記バネは上記重み付けされたインサートを上記キャビティの上記終端端部から離間させる方向に押圧するように構成される。
【００１６】
この技術の付加的な非制約的な実施例において、上記バネは、上記突起を上記戻り止めに押圧して上記インサートロック機構を上記ヘッドロック機構に対してロックするように構成される。
【００１７】
この技術の付加的な非制約的な実施例において、上記インサートロック機構は上記重み付けされたインサートの上記軽量端部に位置決めされ、上記重み付けされたインサートは、上記重み付けされたインサートの上記重量端部に位置決めされた第２のインサートロック機構をさらに有する。
【００１８】
この技術の付加的な非制約的な実施例において、上記重み付けされたインサートは、上記ゴルフクラブヘッドの重心を上記ｚ−軸および上記ｘ−軸の双方に沿って調整するように構成される。
【００１９】
この技術の付加的な非制約的な実施例において、上記インサートロック機構は、上記インサートロック機構の上記ヘッドロック機構に対する９０度未満の回転で、上記重み付けされたインサートを上記キャビティ内にロックするように構成される。
【００２０】
この技術の付加的な非制約的な実施例は、フェース、ソール、クラウン、並びに、上記フェース、上記ソール、および上記クラウンを結合するスカートを具備し、重心を有する本体を有するゴルフクラブヘッドを含み；上記本体は、上記クラブフェースに平行に位置決めされるｘ−軸、上記クラブフェースに垂直に位置決めされるｙ−軸、および上記クラブフェースを通り抜けて位置決めされるｚ−軸を伴う座標を有し；上記本体はキャビティを有し；上記キャビティは開口端部および終端端部を有し、上記終端端部は上記開口端部の反対側であり；重み付けされたインサートを有し、上記重み付けされたインサートは重量端部および軽量端部を有し、上記軽量端部は上記重量端部の反対側であり；上記重み付けされたインサートは、当該重み付けされたインサートの中心に沿い上記開口端部および上記終端端部を通り抜ける長さ方向インサート軸を有し；上記キャビティは、当該キャビティの中心に沿い上記開口端部および上記終端端部を通り抜ける長さ方向キャビティ軸を有し；上記キャビティは、上記重み付けされたインサートを上記開口端部を通じて第１の構成および第２の構成の双方で収容するように構成され；上記第１の構成は、上記キャビティの上記終端端部の近くに上記重み付けされたインサートの上記重量端部を有し；上記第２の構成は、上記キャビティの上記終端端部の近くに上記重み付けされたインサートの上記軽量端部を有し；上記キャビティはヘッドロック機構を有し；上記重み付けされたインサートの上記軽量端部および上記重量端部の一方に選択的に結合するように構成されたインサートロック部材を有し；上記インサートロック部材はインサートロック機構を有し；上記インサートロック機構は、上記インサートロック機構が上記ヘッドロック機構に対して回転させられるときに上記ヘッドロック機構と係合するように構成され；上記インサートロック機構は、上記インサートロック機構の上記ヘッドロック機構に対する１８０度未満の回転によって上記重み付けされたインサートを上記キャビティ内にロックするように構成され；上記ヘッドロック機構はスロットを有し、上記スロットは上記キャビティの上記長さ方向軸に対して斜めに配列され；上記インサートロック機構は、上記スロットと係合するように構成された突起を有し、上記突起および上記スロットは、上記インサートロック機構の上記ヘッドロック機構に対する回転によって上記インサートロック機構が押圧されて上記キャビティの上記長さ方向軸に沿って上記キャビティの上記終端端部側にスライドするように構成される。
【００２１】
この技術の付加的な非制約的な実施例において、上記スロットは、上記インサートロック機構がロック位置にあるときに上記突起を収容するように構成された戻り止めを有する。
【００２２】
この技術の付加的な非制約的な実施例は、さらに、上記キャビティ内にバネを有し、上記バネは上記重み付けされたインサートを上記キャビティの上記終端端部から離間させる方向に押圧するように構成される。
【００２３】
この技術の付加的な非制約的な実施例において、上記バネは、上記突起を上記戻り止めに押圧して上記インサートロック機構を上記ヘッドロック機構に対してロックするように構成される。
【００２４】
この技術の付加的な非制約的な実施例において、上記インサートロック部材は、上記重み付けされたインサートの重量端部および軽量端部に取り外し可能に結合するように構成されるキャップを有する。
【００２５】
この技術の付加的な非制約的な実施例において、上記重み付けされたインサートは、上記ゴルフクラブヘッドの重心を上記ｚ−軸および上記ｘ−軸の双方に沿って調整するように構成される。
【００２６】
この技術の付加的な非制約的な実施例において、上記インサートロック部材は、上記インサートロック部材の上記ヘッドロック機構に対する９０度未満の回転で、上記重み付けされたインサートを上記キャビティ内にロックするように構成される。
【００２７】
この技術の付加的な非制約的な実施例は、フェース、ソール、クラウン、並びに、上記フェース、上記ソール、および上記クラウンを結合するスカートを具備し、重心を有する本体を有するゴルフクラブヘッドを含み；上記本体は、上記クラブフェースに平行に位置決めされるｘ−軸、上記クラブフェースに垂直に位置決めされるｙ−軸、および上記クラブフェースを通り抜けて位置決めされるｚ−軸を伴う座標を有し；上記本体はキャビティを有し；上記キャビティは開口端部および終端端部を有し、上記終端端部は上記開口端部の反対側であり；重み付けされたインサートを有し、上記重み付けされたインサートは重量端部および軽量端部を有し、上記軽量端部は上記重量端部の反対側であり；上記重み付けされたインサートは、当該重み付けされたインサートの中心に沿い上記開口端部および上記終端端部を通り抜ける長さ方向インサート軸を有し；上記キャビティは、当該キャビティの中心に沿い上記開口端部および上記終端端部を通り抜ける長さ方向キャビティ軸を有し；上記キャビティは、上記重み付けされたインサートを上記開口端部を通じて第１の構成および第２の構成の双方で収容するように構成され；上記第１の構成は、上記キャビティの上記終端端部の近くに上記重み付けされたインサートの上記重量端部を有し；上記第２の構成は、上記キャビティの上記終端端部の近くに上記重み付けされたインサートの上記軽量端部を有し；上記キャビティはヘッドロック機構を有し；上記重み付けされたインサートに沿ってスライドして上記重み付けされたインサートの上記軽量端部および上記重量端部の一方に選択的に結合するように構成されたインサートロック部材を有し；上記インサートロック部材はインサートロック機構を有し；上記インサートロック機構は、上記インサートロック機構が上記ヘッドロック機構に対して回転させられるときに上記ヘッドロック機構と係合するように構成され；上記インサートロック機構は、上記インサートロック機構の上記ヘッドロック機構に対する１８０度未満の回転によって上記重み付けされたインサートを上記キャビティ内にロックするように構成され；上記重み付けされたインサートは回転防止機構を有し；上記インサートロック部材は回転防止機構を有し；上記重み付けされたインサートの回転防止機構が、上記インサートロック部材の回転防止機構と係合して上記重み付けされたインサートが上記インサートロック部材に対して回転するのを防止するように構成される。
【００２８】
この技術の付加的な非制約的な実施例において、上記ヘッドロック機構はスロットを有し、上記スロットは上記キャビティの上記長さ方向軸に対して斜めに配列され、上記インサートロック機構は、上記スロットと係合するように構成された突起を有し、上記突起および上記スロットは、上記インサートロック機構の上記ヘッドロック機構に対する回転によって上記インサートロック機構が押圧されて上記キャビティの上記長さ方向軸に沿って上記キャビティの上記終端端部側にスライドするように構成され、上記スロットは、上記インサートロック機構がロック位置にあるときに上記突起を収容するように構成された戻り止めを有する。
【００２９】
この技術の付加的な非制約的な実施例は、さらに、上記キャビティ内にバネを有し、上記バネは上記重み付けされたインサートを上記キャビティの上記終端端部から離間させる方向に押圧するように構成される。
【００３０】
この技術の付加的な非制約的な実施例において、上記バネは、上記突起を上記戻り止めに押圧して上記インサートロック機構を上記ヘッドロック機構に対してロックするように構成される。
【００３１】
この技術の付加的な非制約的な実施例は、さらに、インサート保持部材を有し、上記インサート保持部材は、シャーシを有し、上記シャーシは、上記キャビティと上記重み付けされたインサートとを分離するように構成される。
【００３２】
この発明の上述および他の特徴は添付図面に示される発明の以下の説明から容易に理解できる。添付図面はここに組みこまれて明細書の一部を構成し、発明の原理を説明し当業者による発明の実施を可能にする。
【図面の簡単な説明】
【００３３】
【図１】この発明のクラブヘッドの実施例の斜視図である。
【図２】図１のクラブヘッドの実施例の底面図である。
【図３Ａ】図１に従うクラブヘッドの実施例のゴルフボールとの衝撃時の正面図である。
【図３Ｂ】図１に従うクラブヘッドの実施例のアドレス時の正面図である。
【図４Ａ】図１のクラブヘッドの実施例の底面図である。
【図４Ｂ】図４の３Ｂ−３Ｂ線に沿う図４のクラブヘッドの断面図である。
【図４Ｃ】図４の４Ｃ−４Ｃ線に沿う図４のクラブヘッドの断面図である。
【図４Ｄ】図４の４Ｄ−４Ｄ線に沿う図４のクラブヘッドの断面図である。
【図５】図１のクラブヘッドの背面図である。
【図６】図１のクラブヘッドのヒール側の側面図である。
【図７Ａ】この発明のソールを具備する図１のクラブヘッドの底面図である。
【図７Ｂ】図７Ａのクラブヘッドの線７Ｂ−７Ｂに沿う断面図である。
【図８】この発明の他の代替的な実施例の底面図である。
【図９】この発明に従うクラブヘッドの代替的な実施例の平面図である。
【図１０Ａ】図９のクラブヘッドの実施例に従うクラブヘッドの正面図である。
【図１０Ｂ】図１０Ａのクラブヘッドの線１０Ｂ−１０Ｂに沿う断面図である。
【図１１】図９の実施例の従うクラブヘッドの平面図である。
【図１２Ａ】図９のクラブヘッドの実施例に従うクラブヘッドの正面図である。
【図１２Ｂ】図１２Ａのクラブヘッドの線１２Ｂ−１２Ｂに沿う断面図である。
【図１３】図９に従うクラブヘッドの実施例の切欠き背面斜視図である。
【図１４】図１３のクラブヘッドの背面図である。
【図１５】図１３の実施例に従う重み管の斜視図である。
【図１６】図９に従うクラブヘッドの他の実施例の切欠き背面斜視図である。
【図１７】図１７の実施例に従う重み管の斜視図である。
【図１８】図９に従うクラブヘッドの他の実施例の切欠き背面斜視図である。
【図１９】図９に従うクラブヘッドの他の実施例の底面図である。
【図２０】図９に従うクラブヘッドの他の実施例の切欠き正面斜視図である。
【図２１】図１３の実施例に従う、ｙ軸およびｚ軸に沿う重心の移動を示すグラフである。
【図２２】図１３の実施例に従う、ｙ軸およびｘ軸に沿う重心の移動を示すグラフである。
【図２３】図１６の実施例に従う、ｙ軸およびｚ軸に沿う重心の移動を示すグラフである。
【図２４】図１６の実施例に従う、ｙ軸およびｘ軸に沿う重心の移動を示すグラフである。
【図２５】この発明の代替的な実施例に従うゴルフクラブヘッドの斜視図である。
【図２６】図２５の実施例に従うゴルフクラブヘッドの分解ソール図である。
【図２７】図２５の実施例に従うゴルフクラブヘッドの断面線Ｏに沿う断面図である。
【図２８】この発明の他の代替的な実施例に従うゴルフクラブヘッドの分解ソール図である。
【図２９】この発明の代替的な実施例に従うゴルフクラブヘッドの斜視図である。
【図３０】図２９の実施例に従うゴルフクラブヘッドの分解ソール図である。
【図３１】図３０の実施例に従うゴルフクラブヘッドの断面線Ｏに沿う断面図である。
【図３２】この発明の他の代替的な実施例に従うゴルフクラブヘッドの分解ソール図である。
【図３３】この発明の他の代替的な実施例に従うゴルフクラブヘッドの分解ソール図である。
【図３４】この発明の代替的な実施例に従う重み付けされたインサートの分解図である。
【図３５】この発明の他の代替的な実施例に従う重み付けされたインサートの分解図である。
【図３６】この発明の代替的な実施例に従う重み付けされたインサートの断面図である。
【図３７】この発明の他の代替的な実施例に従う重み付けされたインサートの分解図である。
【図３８】この発明の他の代替的な実施例に従う重み付けされたインサートの分解図である。
【図３９】この発明の代替的な実施例に従う重み付けされたインサートを具備するゴルフクラブヘッドの分解図である。
【図４０】図３９に示される重み付けされたインサートの分解図である。
【図４１】この発明の代替的な実施例に従う重み付けされたインサートのキャップの拡大断面図である。
【図４２】この発明の他の代替的な実施例に従う重み付けされたインサート２０８の拡大断面図である。
【図４３】この発明の他の代替的な実施例に従う重み付けされたインサートの拡大断面図である。
【図４４】この発明のさらに他の代替的な実施例に従う重み付けされたインサートの斜視図である。
【図４５】図４４の重み付けされたインサートを含むゴルフクラブヘッドの断面図である。
【図４６】図４４の重み付けされたインサートの斜視図である。
【図４７】図４５のゴルフクラブヘッドのヘッドロック部材の斜視図である。
【図４８】図４５のゴルフクラブヘッドのヘッドロック部材の斜視図である。
【図４９】この発明のさらに他の代替的な実施例に従う重み付けされたインサートの斜視図である。
【図５０】図４９の重み付けされたインサートを含むゴルフクラブヘッドの断面図である。
【図５１】バネおよび中心付け部材を含む図４９の重み付けされたインサート４０８の斜視図である。
【図５２】図５１のバネおよび中心付け部材の斜視図である。
【図５３】バネの斜視図である。
【図５４】低摩擦部材および図５３のバネの斜視図である。
【図５５】インサート保持部材の斜視図である。
【図５６】スライド型インサートロック部材を具備する重み付けされたインサートの斜視図である。
【図５７】スライド型インサートロック部材の斜視図である。
【図５８】図５６の重み付けされたインサートの斜視図である。
【図５９】図５５のインサート保持部材内に実装された、図５６の重み付けされたインサートの断面図である。
【図６０】図５６の重み付けされたインサートおよびスライド型インサートロック部材の他の実施例の斜視図である。
【図６１】図６０の重み付けされたインサートおよびスライド型インサートロック部材の断面図である。
【図６２】重み付けされたインサートの他の実施例の斜視図である。
【図６３】図６２の重み付けされたインサートの部品の斜視図である。
【図６４】図６２の重み付けされたインサートの断面図である。
【図６５】重み付けされたインサートの他の実施例の斜視図である。
【図６６】図６５の重み付けされたインサートの断面図である。
【図６７】ウエイトインサートの付加的な実施例の斜視図である。
【図６８】図６７のウエイトインサートを収容するように構成されたインサート保持部材の斜視図である。
【図６９】図６８のインサート保持部材の端面図である。
【図７０】図６８のインサート保持部材に実装された図６７のウエイトインサートの断面図である。
【図７１】重み付けされたインサートの付加的な実施例を示す図である。
【図７２】図７１の重み付けされたインサートを収容するように構成されたインサート保持部材の斜視図である。
【図７３】図７１の重み付けされたインサートを収容するように構成されたインサート保持部材の斜視図である。
【図７４】インサート保持部材の付加的な実施例を示す図である。
【図７５】図７３のインサート保持部材中に配置するように構成された重み付けされたインサートの付加的な実施例を示す図である。
【図７６】重み付けされたインサートの付加的な実施例の斜視図である。
【図７７】図７６の重み付けされたインサートの断面図である。
【発明を実施するための形態】
【００３４】
以下の詳細な説明において、添付図面が参照され、これはここでの開示の一部を構成する。詳細な説明、図面、および特許請求の範囲において説明される図説の実施例は、制限的なものを意味しない。ここで提示されるサブジェクトマターの趣旨または範囲から逸脱しない範囲で、他の実施例を採用して良く、他の変更をなして良い。この開示内容の側面は、全般的にここで説明され、各図において図説されるように、広く種々の異なる構成において、採用され、置換され、組み合わされ、また設計されて良く、これらは明瞭にこの開示の一部を構成すると理解される。例えば、システムまたは装置、または方法は、ここに開示された任意の数の側面を用いて実装され、または実施されて良い。さらに、そのようなシステム、または装置やそのような方法は、他の構成、機能を利用して実施されて良く、さらに、ここに開示された１または複数の側面に加えてそれ以外の構成、機能を利用して実施されて良い。ここで説明される、この発明の特徴の変更例および他の修正、並びに、ここで説明される、この発明の原理をさらなる応用は、この開示内容を元に当業者にもたらされ、この発明の範囲内であると考えられる。
【００３５】
実施例の外に、または、とくにことわらない限りは、すべての数の範囲、量、値およびパーセンテージ例えば明細書中の材料の量、慣性モーメント、重心位置、ロフトおよびドラフト角度、その他に関するそのようなものは、値、量、または範囲とともに明瞭に「約」の用語が表示されていなくてもそのような用語「約」があるものとして認識することができる。したがって、そうでないと示されない限り、明細書および特許請求の範囲の数字のパラメータは近似であり、これはこの発明により実現されることがのぞまれる所望の特性に応じて変化する。特許請求の範囲の均等理論の適応を排除する意図はないが、少なくとも、各数量のパラメータは報告された実行桁数の下で理解され、通常の丸め手法により把握すべきである。
【００３６】
この発明の広い範囲を示す数量の範囲およびパラメータは近似であるけれども、明細書の例に示された数量の値はできる限り正確に報告されている。ただし、いずれの数量の値も、各実験の測定に見いだされる標準偏差に起因する必然的な誤差を内在する。さらに、種々のことがらについて数量の範囲が示される場合には、指摘した値の範囲で、それらを組み合わせたものが利用できることを理解されたい。
【００３７】
この技術を説明するにあたって、以下の用語が用いられて良い。単数形（「ａ」、「ａｎ」、および「ｔｈｅ」）は、文脈において明瞭にそうでないと表示されない限り、複数形態を含む。そのため、例えば、１つの事項に関する説明は、１または複数の事項に関する説明を含む。用語「複数」（「ｐｌｕｒａｌｉｔｙ」）は２またはそれ以上の事項を含む。用語「実質的」（「ｓｕｂｓｔａｎｔｉａｌｌｙ」）は、指摘された、特徴、パラメータ、または値がちょうどである必要がなく、偏差または変動はこの特徴が実現しようと意図していた効果を排除しない範囲で起こって良いことを意味し、これら偏差または変動は、例えば、許容誤差、測定誤差、測定精度制約および当業者に知られている他の要素を含む。複数の事項は簡便のために共通のリストに提示されて良い。ただし、これらのリストでは、リストの構成要素の各々は別のユニークな要素として個別に特定されていると認識されるべきである。したがって、そのようなリストの個別の要素は、当該同一のリストの任意の他の要素の事実上の等価物と解釈すべきであり、これは、反対の表示がなされていないかぎり、共通のグループにおいてそれらが表示されていることのみから由来する。さらに、用語「および」（「ａｎｄ」）、および「または」（「ｏｒ」）が要素のリストと関連して使用される場合、これらは広く解釈されるべきであり、リストされた要素の任意の１つまたは複数が単独でまたは他のリストされた要素と組合わさって使用されて良いことを意味する。用語「代替的には」（「ａｌｔｒｎａｔｉｖｅｌｙ」）は２またはそれ以上の代替物から１つを選択することを意味し、それらリストされた要素の選択が一時にそれらリストされた代替物のうちの唯一の１つに限定されることを意図しない。
【００３８】
この開示の特徴は、以下の説明および添付の特許請求の範囲から、添付の図面を参照して、より充分で明瞭なものになる。ここでの検討を考慮したのち、とくに「詳細な説明」のセクションを読んだ後、これら図説された特徴が、この開示のこれら所定の原理を説明するにあたりどのように役立つかを理解するであろう。
【００３９】
図１はこの発明のゴルフクラブヘッド１０を示す。クラブヘッド１０は、打撃フェース１４、ソール１６、クラウン１８、スカート２０を具備する本体１２、およびホーゼル２２を含む。本体は空洞の内部ボリューム２４（図４Ｂ〜４Ｄ参照）を形成する。発泡体または他の材料を部分的または完全に内部ボリュームに充填して良い。重みはこの内部ボリューム内に含ませて良い。フェースには種々のデザインの溝すなわちスコアを設けて良い。クラブヘッドはトウ２６およびヒール２８を具備する。
【００４０】
ゴルフクラブシャフト（図示しない）はホーゼル２２に結合され、シャフト軸Ａ−Ａに沿って配置される。ホーゼル２２はクラブヘッド１０のそこまで伸びていても良いし、クラブヘッド１０のソール１６およびクラウン１８の部分の間の位置で終端しても良いし、ホーゼル２２がクラウン部分２６と面一に終端してもよい。
【００４１】
内部ボリューム２４の体積は１２５立方ｃｍより大きいことが推奨され、好ましくは１７５立方ｃｍより大きい。好ましくは、この発明のクラブヘッド１０の質量は１５０グラムより大きいけれども、２２０グラムより小さい。ただし、クラブヘッドの重量は任意の適切なもので良い。本体１２は一体に溶接されたシート、または鋳造で製造されて良く、好ましくは、スチール、アルミニウム、またはチタンまたは任意の適切な他の材料あるいはこれらの組み合わせから製造されて良い。
【００４２】
打撃フェース１４は、ミリング、鋳造、鍛造、またはスタンプ・フォーミングにより製造されて良い。フェース１４は、チタン、チタン合金、炭素鋼、ステンレス鋼、ベリリウム銅、および他の金属、または複合材を含む任意の適切な材料から製造されてよい。フェース１の厚さは適宜な任意のものであり、均一でも非均一でも良い。容易に理解できるように、フェース１４は、接着および溶着を含む適切な手段により、本体１２に結合されてよい。代替的には、本体１２およびフェース１４は同時に鋳造されて一様なシェルを形成して、フェース１４を本体１２に接着、その他の方法で永久的に固着する必要がないようにできる。代替的には、ソール１６またはクラウン１８を別々に製造して本体１２の残りの部分にはめ込んで良く、これは当業者に知られている。
【００４３】
ソール１６は、好ましくは、２つの目的を達成する複雑な形状を有する。第１の目的は、フェースをターゲットに対してスケアーにするアドレス位置で、クラブヘッド１０が着座する表面を実現することである。第２の目的は、通常のソールを具備するクラブヘッドで利用可能な、衝撃時の地面との空隙より大きな空隙を実現するソール形状を提供することである。第１の目的を実現するために、アドレス部分すなわちゼロ度バウンス部分３０が設けられる。この部分は、ソール１６上で十分に大きな面積を有し、ゴルファがアドレス位置に配置したときにクラブヘッドをその上で静止させる。ゼロ度バウンス部分３０は、ソール１６上に設けられた平坦部分でよい。ゼロ度バウンス部分３０はフェース１４の背面で丁度中央に配置されても良く、また、図示のように、よりヒール２８側に設けられても良い。図１および図２に示すように、ソール１６はゼロ度バウンス部分３０を有し、アドレスで、クラブヘッド１０がこの位置に静止し、フェース１４がターゲットに対してスケアーになるようになしている。ゼロ度バウンス部分３０により、クラブヘッド１０は、複雑な形状のソールを具備しない通常のクラブヘッドとまったく同様に着座できる。このため、この発明のクラブヘッド１０の複雑なソールによってもクラブヘッドがアドレスにおいて着座する態様に悪影響を与えない。
【００４４】
第２の目的を実現するために、ソール１６の一部が穿たれて多重浮き彫り表面３２を負のバウンスとともに実現する。好ましくは、負バウンス部分３４がソール１６上にその中央位置でクラブヘッド１０のフェース１４と離間した位置に設けられる。このため、クラブヘッド１０は２つのバウンス領域を具備する。図３Ａおよび３Ｂに示すように、クラブヘッド１０の衝撃位置Ｉｐは、アドレス位置Ａｐと異なり、これは、ゴルフスイングの挙動によりシャフトが衝撃時に曲がってクラブヘッド１０の位置が移動するからである。図３Ｂはアドレス位置のクラブヘッドを示し、ここでフェースはターゲットに対してスケアーであり、シャフト軸Ａ−Ａは地面Ｇに対して角度をなし、これをシャフト角βａと呼ぶ。図３Ａに示すように、衝撃時には、クラブヘッドは直立にわずかな角度だけ回転し、シャフト軸Ａ−Ａは地面Ｇに対して異なる角度をなし、これをシャフト角βｉと呼ぶ。
【００４５】
１実施例では、第１の測定、例えば、クラブヘッド１０がアドレス位置に着座してフェース１４がスケアーのときには、トウ２６は少なくとも５度上であってよいことに留意されたい。第２の測定、例えば、ゴルフボールとの衝撃時では、中央位置に配されて、フェース１４は第１の測定時と異なる。例えば、フェース１４は第２の測定時には第１の測定時に較べて少なくとも２度だけよりオープンになってよく、また、第２の測定時には第１の測定時に較べて少なくとも２度だけオープンになってよい。中央位置は負バウンス部分３４を有し、これは実質的に平坦な表面である。第１の測定をアドレス位置で行なうときに、シャフト角βａは好ましくは約５５から４５度である。第２の測定をクラブヘッドの衝撃時で行なうときには、シャフト角βｉは約５５から６０度である。
【００４６】
図１および２に示すように、ソール１６は多重浮き彫り表面３２に特徴付けられ、ソール１６の後端３６でより大きな接地空隙を実現して芝生との摩擦を最小化する。この構成では、地面／ソール接触点は打撃フェース１４の先端に向かって前方に残る。地面／ソール接触点を前方に維持することにより方向制御およびボールの飛距離が改善され、これは、クラブヘッド１０のボールに対するバウンスまたはスキップを抑制すること可能であることによる。これは、ボールをスタンスより前方に配置するプレイヤまたは浅い角度の打ち出しで芝生からボールを掃き出すプレイヤに取って、とくに顕著である。好ましくは多重浮き彫り表面３２のソールは負バウンス部分３２および切欠き部分４０により特徴付けられる。
【００４７】
負バウンス部分３４は任意の所望の形状を有して良く、好ましくは、負バウンス部分３４は図１および２に示すように三角形の形状である。図４Ａ〜４Ｄはソール１６における負バウンス部分３４および切欠き部分４０を示す。図４Ｂおよび４Ｄで図示される断面は、切欠き部分４０を通常のクラブヘッドソール４２の一般的な表面と比較して示す。図４Ｂは、負バウンス部分３４および切欠き部分４０を伴うクラブヘッド１０の中央部分の断面を通常のクラブヘッドソール４２の一般的な表面と比較して示す。
【００４８】
切欠き部分４０は負バウンス部分３４からクラブヘッド１０の後端３６へと伸びる。図４Ｂ〜Ｄに示すように、切欠き部分４０は連続しており、ソールの底に沿って伸びる面Ｓから負表面を徐々に大きくして良い。好ましくは、切欠き部分４０の深さｄｃｐは通常のゴルフクラブソール４２の一般的な表面から約０．０５から０．５インチであり、この深さは一定でも一定でなくてもよい。図５および６はクラブヘッドのバック４４およびヒール２８を示す。切欠き部分４０を十分に想定することができる。
【００４９】
図７Ａ〜７Ｂはクラブヘッド１０のソール１６およびその線７Ｂ−７Ｂに層断面を示し、ソール１６の多重浮き彫り表面３２を示す。負バウンス部分３４は打撃フェースから距離Ｄ１だけ離間しており、Ｄ１は好ましくは約０．１から１．０インチである、より好ましくは、クラブヘッド１０の打撃フェース１４から約０．３５から０．６５インチである。距離Ｄ１は異なるクラブヘッドに対して異なってよく、これは、距離Ｄ１がフェースの進展およびクラブヘッドのロフトに左右されるからである。図示のように、負バウンス部分３４は、クラブヘッドを通る座標系のｚ軸と平行なソール１６の底に沿って伸びる面Ｓから角度αをなす表面を有する。負バウンス部分３４は、およそマイナス０．５からマイナス４．０度の表面を有し、角度αは面Ｓからおよそマイナス０．５からマイナス４．０度である。好ましくは、負バウンス部分３４は、およそマイナス２．０度の表面を有する。負バウンス部分３４の角度は、ソールのバックに向かって一定でもよく、変化しても良いことに留意されたい。負バウンス部分３４は多重半径の位置を有してよい。
【００５０】
図示のとおり、多重浮き彫り表面３２は負バウンス部分３４および切欠き部分４０を含み、これらが三角形の形状を構成する。三角形の形状は角度φをなし、角度φは好ましくはやく３５から５０度であり、より好ましくは約３８から４４度である。負バウンス部分３４および切欠き部分４０の長さＬは好ましくは約１から５インチであり、より好ましくは約２から４インチである。
【００５１】
図８はソール１６の代替実施例を示す。クラブヘッド４６は上述のような多重浮き彫り表面３２により特徴付けられる。多重浮き彫りソールは負バウンス部分３４および切欠き部分４０をその特徴として有する。負バウンス部分３４および切欠き部分４０の形状は任意の適切な形状であってよいことに留意されたい。
【００５２】
一般に、スイートスポットを大きくするために、クラブヘッドの重心はクラブヘッドの底およびバックへと移動される。これにより、平均的なゴルファはボールを虚空に高く、速く打ち上げ、ボールを遠くへ飛ばすことができる。さらに、クラブヘッドの慣性モーメントを大きくして、中心から外れた打撃に伴う距離および精度のペナルティを最小化する。クラブヘッドの全体重量を増大させることなしに重量を下方および後方に移動させるために、材料すなわち質量を一般にクラブヘッドの一領域から取って他に移す。材料を、薄いクラブフェースをなしてクラブのフェースから取り、またクラウンおよび／またはソールから取りクラブのバックに配置できる。
【００５３】
図９は、この発明の他の実施例に従うクラブヘッド５０のトップを示す。クラブヘッド５０は、打撃フェース５４、ソール５６（図１０Ａおよび１０Ｂ参照）、クラウン５８、スカート６０を具備する本体５２ならびにホーゼル６２を含む。本体は空洞の内部ボリューム６４（図１０Ｂおよび１２Ｂ参照）を形成する。フェースには種々のデザインの溝すなわちスコアが設けられて良い。クラブヘッドはトウ６６およびヒール６８を具備する。
【００５４】
図９は、ｘ軸およびｚ軸に沿う重心（ｃ．ｇ．）を示す。クラブヘッド５０の操作性を改善するために、クラブヘッド５０のｃ．ｇ．をより好ましい位置に移動させることができるようにすることが望まれる。好ましくは、クラブヘッド５０は、その特徴として、重りシステム７０（図１０Ａ〜１０Ｂ、および１２Ａ〜１２Ｂを参照）を有してクラブヘッド５０内のｃ．ｇ．をより理想的な位置へ移動させる。好ましくは、ｃ．ｇ．は、重りシステムを伴わないクラブヘッドに較べてｚ軸に沿って６ｍｍの距離の範囲で移動させることができる。より好ましくは、ｚ軸に沿って４ｍｍの距離の範囲で移動させることができる。ｃ．ｇ．は、重りシステムを伴わないクラブヘッドに較べてｘ軸に沿って６ｍｍの距離の範囲で移動させることができてよく、より好ましくは、２ｍｍの距離の範囲で、さらに好ましくは０．５ｍｍの距離の範囲で移動させることができてよい。さらに、ｃ．ｇ．は、重りシステム（図１０Ａ〜１０Ｂ、および１２Ａ〜１２Ｂを参照）を伴わないクラブヘッドに較べてｙ軸に沿って６ｍｍの距離の範囲で移動させることができる。好ましくは、ｃ．ｇ．はｙ軸に沿って２ｍｍの距離の範囲で移動させることができる。
【００５５】
ｃ．ｇ．を調整可能にしても、クラブヘッドのロフトの挙動に実質的に影響はないであろう。例えば、３ｍｍのフロント−バックの移動に対して、ロフトの挙動は約０．４度変化するだけである。ｃ．ｇ．が後方に移動するとき、バックスピンが増大し、例えばクラブヘッドのｃ．ｇ．の背面に向かう移動量３ｍｍあたり１００から３００ｒｐｍの間の増加分だけバックスピンが増大する。
【００５６】
図１０Ａは、クラブヘッドのフロントフェース５４を図説し、ｘ軸およびｙ軸を示す。図１０Ｂは図１０Ａの線１０Ｂ−１０Ｂに沿う断面図である。図１０Ｂはクラブヘッドの内部を示し、このクラブヘッドはその特徴としてこの発明に従う重りシステム７０を有し、ｃ．ｇ．がｚ軸およびｙ軸に沿って移動可能である。
【００５７】
図１０Ｂは、クラブヘッド５０内で、ｙ軸およびｚ軸により形成される面の内部に配置されてクラブヘッドのｃ．ｇ．を調整する管７２を、重りシステム７０として示す。図１１に示すように、１より多くの管７２がクラブヘッド５０の内部に設けられて良いことに留意されたい。図１０Ｂに示すように、重りシステム７０は、重り７４をその一端７６に具備する管７２をその特徴として有する。図１０Ｂに示すように、重り７４はクラブヘッド５０のバックに配されてｃ．ｇ．を所望のボール飛行に望まれる位置に移動させる。重り７４がクラブヘッド５０のバックに配置されるときには、クラブヘッド５０から打ち出されるショットはバックスピンを増大させて打ち出し角度をより高くして柔らかな着地をもたらしてきた。代替的な実施例では、管７２が、管７２中に配する重量が異なる複数のインサートをその特徴として有してクラブヘッド５０のｃ．ｇ．を所望の位置に移動させてもよいことに留意されたい。
【００５８】
図示のとおり、管７２は好ましくはクラブヘッド５０内で角度をもって設けられる。管７２がクラブヘッド５０のフェース５４に対して下方に角度付けられ、管７２がｚ軸およびｙ軸により形成される面内に設けられるようになっている。管７２は角度δだけ角度付けられ、ここで、δはｚ軸およびｘ軸により形成される面Ｗに対して少なくとも１度である。好ましくは、管７２は、クラブヘッド５０のフェース５４に対して下方に、ｚ軸およびｘ軸により形成される面Ｗに対して少なくとも３度だけ角度付けられている。より好ましくは、管７２は、クラブヘッド５０のフェース５４に対して下方に、ｚ軸およびｘ軸により形成される面Ｗに対して約３から７度だけ角度付けられている。管７２はｙ軸およびｚ軸により形成される面内に設けられるものとして、ここでは記載されているけれども、管７２はその面からいずれの方向に任意の所望量だけずれていてもよいことは容易に理解できる。
【００５９】
つぎに図１２Ａ〜１２Ｂを参照すると、管７２はクラブヘッド５０内で反転されて、重り７４がクラブヘッド５０の他端７６に設けられ、フェース５４により近くに配され、ｃ．ｇ．を所望のボール飛行を実現する他の位置に移動させて良いことがわかる。重り７４をクラブヘッド５０の前面に配置すると、クラブヘッド５０から打ち出されるショットによるバックスピンがより少なくなり、軌道が低くなり、着地が浅くなって距離が増大する。管７２自体はクラブヘッド中に重り７４をいずれの方向に配した状態で挿入されても良く、また、所望の部端部に重り７４を有するものを異なる管７２から選択して、その後、クラブヘッドに設けるようにしても良いことに留意されたい。
【００６０】
重りシステム７０、例えば管７２および重り７４を具備するクラブはソール５６上の上述したような多重浮き彫り表面３２を含んで良いことは容易に理解できる。例えば、図１０Ｂおよび図１２Ｂにおいて、ソール５６は、上述のような負バウンス部分３４および切欠き部分４０を具備する多重浮き彫り表面３２をその特徴として有して良い。管の角度δは多重浮き彫り表面３２と実質的に平行であることも理解できる。
【００６１】
図１３は管７２をクラブヘッド５０にどのように挿入できるかを示す。鞘７８はクラブヘッド５０のブロック７９から伸び、重り７４付きの管７２を収容し、ファスナ８０が管７２をクラブヘッド５０内に固定してロックする。管７２はクラブヘッド５０の外側に締めつけられて実質的にクラブヘッドの外側面と面一とされ、これを図１４に示す。
【００６２】
図１５は図１３の実施例に従う管７２を示す。重り７４は管７２の端部７６に設けられる。管７２および重り７４は、ネジ係合、エポキシ、機構ロック、または他の結合手法により結合されて良い。重り７４はタングステンまたは任意の他の適切な材料を含んで良い。重り７４の重量は約１０から２５グラムである。管７２および重り７４の結合重量は約２０から４０グラムである。好ましくは、管７２はアルミニウムを含むけれども、任意の他の適切な材料を採用して良い。
【００６３】
管７２の向きは、製造時に設定されても良いし、ユーザにより変更されても良いし、または、製造業者または指定された調整場所で修正されても良いことに留意されたい。管７２の直径ｔｄは約０．３から０．５インチであり、その長さｔｌは約２から３インチである。１を越える数の管７２をクラブヘッド５０に任意の時点で設けても良く、これは図１１に示すとおりであり、また、異なる重量に複数の管７２をユーザまたは調整場所に供給しても良いことは容易に理解できる。
【００６４】
図１６はクラブヘッド５０内に管７２を配置するための代替的な実施例を示す。この実施例において、管７２は両方の端部８６および８８にネジ溝８４を有し、これがクラブヘッドの内部でフェース５４に隣接するブロック９３の係合ネジ溝９０、およびクラブヘッド５０のスカート６０に隣接するブロック９６のネジ溝９４とネジ係合で相互結合する。管７２はフェース５４と隣接してクラブヘッド５０の内部に締めつけられる。管７２の向きは製造時に設定しても良いし、ユーザにより変更されても良いし、または、製造業者または指定された調整場所で修正されても良いことに留意されたい。
【００６５】
図１７は図１６の実施例の管７２を図説し、管の二重ネジ切り端部８６および８８を示し、この管はいずれの方向からでもクラブヘッド５０に挿入することができ、フェース５４に隣接してねじ込みにより収容可能である。管７２の直径ｔｄおよび長さｔｌは上述したものであり、重り７４および管７２の重量は上述と類似である。管７２の外部はクラブヘッド５０の外側表面８２と実質的に面一になるように整合される。
【００６６】
図１８は重りシステム７０の代替的な実施例を示し、ここでは、重り９８が、クラブヘッド５０内に設けられたパイプ１００に沿ってスライドできる。クラブヘッド５０のソール５６の外側表面１０２は、重り９８をパイプ１００に沿って所望の位置まで移動させてそのｃ．ｇ．を動かし上述のように所望のボール飛行を実現させるための機構１０４を、その特徴として有する。代替的には、パイプ１００上の重り９８の位置がクラブヘッドの製造時に設定されて良い。
【００６７】
図１９は重りシステム７０の他の代替的な実施例を特徴付ける。この実施例は、インサートを収容するためにクラブヘッド５０のソール５６中に２以上のキャビティ１０６をその特徴として有する。キャビティ１０６はクラブヘッド５０上の任意の所望の位置に配置されて良い。図示のように、３つのキャビティ１０６がｘ軸からずれた軸Ｏに沿って設けられる。キャビティ１０６はｘ軸に平行に整合されてもよいし、またどちらの方向にずれても良い。キャビティ１０６は、ｘ軸からいずれかの方向に０から９０度ずれた軸Ｏに沿って設けられてよい。クラブヘッドのバック部分１１０は、その特徴として、より深いキャビティ１０６を有してｚ軸およびｘ軸により形成される面に対して上述した管７２を代替する。複数のインサート１０８は種々の重量であって良く、異なるキャビティ１０６に配されてｃ．ｇ．を所望の位置に移動させる。インサート１０８は、ユーザにより移動可能であり、また、製造時にセットされてもよく、また調整環境で修正されても良い。
【００６８】
図２０は、重心をｙ軸に沿って移動させるための重りシステム７０のさらに他の代替的な実施例を示す。図示のとおり、クラブヘッド５０は、垂直キャビティ１１２をその特徴として有し、これがソール５６からクラブヘッドの空洞のボリューム６４へと伸びる。キャビティ１１２はソール５６中の任意の所望の位置に配置して良く、例えば、フェース５４の幅に沿ってその中央に配置され、かつ、クラブヘッド５０のバック寄りの位置に配置される。これは図示のとおりである。重り１１４はキャビティ１１２にフィットするように製造され、キャビティ１１２内にしっかりと係合するようになっている。重り１１４はキャビティ内に任意の適切な手法で取り付けられて良く、この手法にはネジ係合、エポキシ、機構ロックまたは他の結合手法が含まれることは容易に理解できる。図示のとおり、キャビティ１１２は円筒形であり、重り１１４はこれに対応して円筒形のプラグであるけれども、容易に理解できるように、重り１１４および係合キャビティは任意の適切な形状および寸法を有してよい。重み１１４は、その特徴として、重量端部１１６および軽量端部１１８を有する。重量または軽量端部１１６および１１８をソール５６に近づけてｃ．ｇ．をｙ軸に沿って所望の位置に移動させて良い。容易に理解できるように、重り１１４の向きは製造時に設定しても良いし、ユーザにより変更されても良いし、または、製造業者または指定された調整場所で修正されても良い。この実施例では、１つの属性を独立させてｃ．ｇ．をｙ軸に沿って移動させることが容易になり、このため、クラブの調整をより直接的なものにできる。
【００６９】
図２１に示すように、ｃ．ｇ．の移動が図１３の構造に従って示される。これは、ｃ．ｇ．のｙ軸およびｚ軸に沿う移動を、重りシステムを伴わない、通常のＴｉｔｌｅｉｓｔ  ９０４Ｆのフェアウェイウッドと、重り７４をクラブヘッド５０のバック中に具備する図１３の重りシステム７０を伴うクラブヘッド５０と、重り７４をクラブヘッド５０のフロント中に具備する図１３の重りシステム７０を伴うクラブヘッド５０とについて示す。図２１は、これら種々のクラブヘッドに関するｙ軸およびｚ軸に沿うｃ．ｇ．の相対位置を示す。
【００７０】
図２２に示すように、ｃ．ｇ．の移動が図１３の構造に従って示される。これは、ｃ．ｇ．のｙ軸およびｘ軸に沿う移動を、重りシステムを伴わない、通常のＴｉｔｌｅｉｓｔ  ９０４Ｆのフェアウェイウッドと、重り７４をクラブヘッド５０のバック中に具備する図１３の重りシステム７０を伴うクラブヘッド５０と、重り７４をクラブヘッド５０のフロント中に具備する図１３の重りシステム７０を伴うクラブヘッド５０とについて示す。図２２は、これら種々のクラブヘッドに関するｙ軸およびｘ軸に沿うｃ．ｇ．の相対位置を示す。
【００７１】
図２３に示すように、ｃ．ｇ．の移動が図１６の構造に従って示される。これは、ｃ．ｇ．のｙ軸およびｚ軸に沿う移動を、重りシステムを伴わない、通常のＴｉｔｌｅｉｓｔ  ９０４Ｆのフェアウェイウッドと、重り７４をクラブヘッド５０のバック中に具備する図１６の重りシステム７０を伴うクラブヘッド５０と、重り７４をクラブヘッド５０のフロント中に具備する図１６の重りシステム７０を伴うクラブヘッド５０とについて示す。図２１は、これら種々のクラブヘッドに関するｙ軸およびｚ軸に沿うｃ．ｇ．の相対位置を示す。
【００７２】
図２４に示すように、ｃ．ｇ．の移動が図１６の構造に従って示される。これは、ｃ．ｇ．のｙ軸およびｘ軸に沿う移動を、重りシステムを伴わない、通常のＴｉｔｌｅｉｓｔ  ９０４Ｆのフェアウェイウッドと、重り７４をクラブヘッド５０のバック中に具備する図１６の重りシステム７０を伴うクラブヘッド５０と、重り７４をクラブヘッド５０のフロント中に具備する図１６の重りシステム７０を伴うクラブヘッド５０とについて示す。図２４は、これら種々のクラブヘッドに関するｙ軸およびｘ軸に沿うｃ．ｇ．の相対位置を示す。図２１〜２４において示されるｃ．ｇ．の位置は商業的に入手可能なＣＡＤ（コンピュータ支援デザイン）システムを用いて計算された。
【００７３】
添付図面の図２５は、この発明の代替的な実施例に従うゴルフクラブヘッドの斜視図を示す。この発明の当該実施例は、重み付けさせたインサート２０８を収容するためにゴルフクラブヘッド２５０のソールに１または複数のキャビティ２０６を具備する。この実施例においてキャビティ２０６は、全般的には、開口２１１を有する、全体的に長尺の円筒形の形状に示されて良く、この開口２１１は、円筒形の重み付けされたインサート２０８をゴルフクラブヘッド２５０のソールに露出させる。キャビティ２０６および重み付けされたインサート２０８の配向は、全般的には、ゴルフクラブヘッドの打撃フェースから所定角度だけずれていて良く、もって、ゴルフクラブヘッド２５０の重心の２またはそれ以上の軸に沿って変化させるのを助長する。重み付けされたインサート２０８のオフセット角度を示すために図２６が提供され、これは、この発明の当該代替的な実施例に従う重み付けされたインサート１０８を具備するゴルフクラブヘッド２５０の分解ソール図を示す。
【００７４】
添付図面の図２６は、重み付けされたインサート２０８を具備するゴルフクラブヘッドの分解ソール図を示す。より具体的には、図２６は、ｘ−軸から角度θだけずれている軸Ｏに沿って整合するキャビティ２０６および重み付けされたインサート２０８を示す。当該角度θは図１９において検討したのと同様に、全般的にはｘ−軸に対して０から９０度の角度だけいずれかの方向にずれていて良いけれども、好ましくは約０から９０度だけ正の方向にずれ、より好ましくは約３から約４５度の間だけ、最も好ましくは約５から約３５度の間だけずれ、これはこの発明の範囲および内容から逸脱しないものである。軸Ｏをｘ−軸からずらすことは、この発明では有益であり、なぜならば、このようにすることによって、重み付けされたインサート２０８の配向に依存してゴルフクラブヘッドの重心をｘ−軸およびｙ−軸に沿って同時に移動させることができるからである。ただし、これを実現するためには、重み付けされたインサート２０８が、その内部に、重心のそのような極端な移動に都合がよいなんらかの固有の重み付け特性を有しなければならない。
【００７５】
重み付けされたインサート２０８を具備するゴルフクラブヘッドの図２６に示す分解図によれば、重み付けされたインサート２０８の固有の重み付け特性が示される。この図において、重み付けされたインサート２０８はさらに重量端部２１６、軽量端部２１８、およびキャップ２１９を有して良い。このタイプの重み付けされたインサート２０８において重量端部２１６および軽量端部２１８を利用することによって、長尺円筒形の重み付けされたインサート２０８の二方向の調整を最大化させて、ゴルフクラブヘッド２５０の重心をシフトさせることができる。第１の配向では、重量端部２１６がゴルフクラブヘッド２５０のトウ端部の近くにキャップ２１９に近づけて位置づけられるときに、ゴルフクラブヘッドの重心は中立一に対して前方かつトウ方向にシフトされ、手方、第二の配向では、重量端部が、ゴルフクラブヘッド２５０のヒール端部の近くに、キャップ２１０から離されて位置決めされるときに、ゴルフクラブヘッドの重心は中立から後方方向かつヒール方向にシフトされる。
【００７６】
重み付けされたインサート２０８の配向は、ｘ−軸からずれた配向であり、それに加えて、その内部重み付け要素は重量端部２１６および軽量端部２１８を具備するので、重み付けされたインサート２０８の長さは重要になる。すなわち、重み付けされたインサート２０８の長さが長くなると、ゴルフクラブヘッド２５０の重心に対する効果が大きくなる。したがって、重み付けされたインサート２０８の配向の変化によりもたらされる、ゴルフクラブヘッド２５０の重心の決定的な変化を実現するために、重み付けされたインサート２０８の長さは全般的には約５０ｍｍから約１００ｍｍの間、より好ましくは約６０ｍｍから約９０ｍｍの間、さらに好ましくは約７０ｍｍから約８０ｍｍの間であって良い。
【００７７】
重み付けされたインサート２０８の重量端部２１６は、全般的には、密度が約１０．９ｇ／ｃｍ３のタングステンのような比較的密度が大きい材料から構成されて良い。ただし、密度が、重み付けされたインサート２０８の残りの部分より密度が大きいかがり、種々の他の材料をこの発明の範囲および内容から逸脱することなく使用して良い。重み付けされたインサートの軽量端部２１８は重量端部２１６と同様にタングステン材料から構成されて良く、ただし、体積が小さい。しかしながら、軽量端部２１８のための代替的な材料は、重み付けされたインサート２０８の中央部分より大きな密度を有するスチール、チタン、または他の材料であって良く、これらはこの発明の範囲および内容からすべて逸脱しない。重み付けされたインサート２０８の中央部分は、全般的には、重量端部および軽量端部の間に介在させられて配置されて良い。重量端部２１６および軽量端部２１８の硬化を最大化させるために、重み付けされたインサート２０８の通王部分は、全般的には、カーボンファイバ複合材料、アルミニウム、マグネシウム、プラスチック、または密度が約２．５ｇ／ｃｍ３未満の任意の他の軽量材料から製造されて良く、これらはこの発明の範囲および内容からすべて逸脱しない。
【００７８】
図示の実施例において、ネジ切りされたキャップ２１９は、図２７の断面図に示される圧縮力を利用して、重み付けされたインサート２０８を保持するのを支援して良い。ただし、この発明の代替的な実施例において、事実上、磁気を有してキャップ２１９および重み付けされたインサート２０８の間の結合をさらに増強させて良い。
【００７９】
重み付けされたインサートおよびゴルフクラブヘッド２５０の内部の動作を説明するために図２７が示され、これは図２６に示される断面線Ｏに沿うゴルフクラブヘッド２５０の断面図である。ゴルフクラブヘッド２５０の断面図により、重み付けされたインサート２０８、重量端部２１６、軽量端部２１８、キャップ２１９、およびキャビティ２０６の間の関係が詳細に示される。図２７から理解されるように、キャビティ２０６は全般的にはその終端部の周りに面取りした部分を具備し、これが重量端部２１６および軽量端部２１８の先端端部の幾何形状に合致し、もって、重量端部２１６または軽量端部２１８がキャビティ２０６の内部に配置可能になっている。断面図において特定すべき他の特徴は、重量端部２１６および軽量端部２１８の構造上の相違である。重量端部２１６および軽量端部２１８の質量の相違を形成するために、重量端部２１６は、タングステンからなる高密度のソリッドピースであって良く、他方、軽量端部２１８はタングステンからなる空洞のピースであって良い。この発明の代替的な実施例において、軽量端部２１８は、アルミニウム、スチール、またはタングステンより密度が小さい任意の他の材料のような軽量材料から製造されて良く、これはすべてこの発明の範囲および内容から逸脱しない。この発明のさらに他の代替的な実施例において、軽量端部２１８は、重み付けされたインサート２０８の残りの部分と同一のピースから形成されて良く、これはこの発明の範囲および内容から逸脱しない。重み付け効果をさらに増強するために、重み付けされたインサート２０８の中央部分は、全般的には、図２７の断面図に示されるように、空洞複合型の材料であって良い。最後に、図２７は、ネジ切りされたキャップ２１９を示し、これはキャビティ２０６のネジ切りされた入口部分に対応して、もって、重み付けされたインサート２０８をキャビティ２０６の内部に取り付ける。
【００８０】
この発明の代替的な実施例において、重み付けされたインサート２０８の中央部分はその自体の所定の質量特性を有して良い。一例において、中央部分はその重量側と軽量側とを有して、もって、さらなる重み付け調整を行えるようにして良い。１つの設定において、重量サイド２１６が中央部分の重量側と同じサイドにあって良く、もって、重み付けされたインサート２０８に超重量サイドおよび超軽量サイドを付与する。ただし、他の設定において、重量サイド２１６が中央部分の軽量サイドと組み合わされてよく、この場合、部品の重み付け特性が相互に打ち消しあって、より中立的な設定が形成される。
【００８１】
この発明の他の代替的な実施例において、キャップ２１９が「開口のキャビティ」の内部に透視窓を含んで、ユーザが重み付けされたインサート２０８の端部表面を見ることができるようにして良い。１つの事例的な実施例において、窓は透視フレキシガラスから製造されて良いけれども、種々の他の材料を使用して透視窓を実現して良く、これはこの発明の範囲および内容から逸脱しない。透視窓を設けると、重み付けされたインサート２０８の配向を、重み付けされたインサート２０８を分解することなく把握することができる。これを実現するために、重み付けされたインサート２０８の端部表面が異なる色で色付けされ、当該２つの色の各々が、軽量端部２１８または重量端部２１６のいずれが見えるかを示す。
【００８２】
この実施例において、重み付けされたインサート２０８の本体部分がゴルフクラブヘッド２５０の外部ソール部分に露出されていることに留意されたい。これによって、スリーブ２１３のような外部部品を、ゴルフクラブヘッド２５０が地面に接触する態様を調整しるのに使用できるようになる。添付図面の図２８は、この発明の代替的実施例の分解図を示し、この図において、付加的なスリーブ２１３が組立体に付加され、このスリーブ２１３はキャビティ２０６の露出部分２１１に対応する。図から明らかなように、スリーブは、全般的には、重み付けされたインサート２０８の外側表面の周囲を確定して、ソール接触の変更をもたらす。この実施例において、スリーブ２１３は、各頂点が異なる角度を有する三角形状であってよく、このため、ゴルフクラブ２５０が地面に載置される３つの異なる方法を実現する。しかしながら、多数のソール接触を実現できるのであれば、円筒形ロッド、矩形ロッド、長円ロッド、または他の形状のような多くの他の幾何形状を採用して良く、これはこの発明の範囲および内容から逸脱しない。他の代替的な実施例において、スリーブ２１３の外部壁は、さらにテーパー付けされていても良く、もって、ソール接触をより変化させる。異なるソール接触面を形成することにより、ゴルフクラブヘッドは、当該ゴルフクラブヘッドのロフト、ライ、さらにはフェース各の相違に対処して変更可能である。
【００８３】
図２９を参照すると、この発明の他の代替的な実施例に従うゴルフクラブヘッド２５０のソール斜視図が示される。より具多的には、この実施例において示されるゴルフクラブヘッド２５０は、図２５〜図２８に示されるゴルフクラブヘッド２５０と極めて類似しており、異なる点として、重み付けされたインサート２０８はゴルフクラブヘッド２５０の内部キャビティを通り抜けと伸びており、ゴルフクラブヘッドのソール部分で露出していない。重み付けされたインサートは、その端部においてのみ露出されるけれども、その一端においてキャビティ２０６を具備して、重み付けされたインサートを使用できるようにする。
【００８４】
図３０のゴルフクラブヘッド２５０のソール分解図は、この実施例が、依然として、ｘ−軸からずれている軸Ｏに沿って配置された、重み付けされたインサートを依然として具備することを説明する。角度θは、上述と同様に、全般的にはｘ−軸に対してＯから９０度の角度だけいずれかの方向にずれていて良いけれども、好ましくは約０から約９０度だけ正の方向にずれ、より好ましくは約３から約４５度の間だけ、最も好ましくは約５から約３５度の間だけずれ、これはこの発明の範囲および内容から逸脱しないものである。この代替的な実施例の内部幾何形状を説明するために、図３１の断面図が示され、これは、重み付けされたインサート２０８がどのようにしてゴルフクラブヘッド２５０の壁部の内部に完全に内包されるかを示す。
【００８５】
図３２および図３３は、この発明の他の代替的な実施例に従うゴルフクラブヘッド２５０の分解ソール図を示す。より具体的には、ここに示されるクラブヘッド２５０は、全般的には、フェアウェイウッドまたはハイブリッドタイプのクラブヘッド２５０のような小さめのサイズのメタルウッドタイプクラブヘッドであって良い。これらの実施例は、ゴルフクラブヘッド２５０の体積と、重み付けされたインサート２０８のｘ−軸に対する角度θとの間の極めて重要な関係を説明することに留意されたい。ゴルフクラブヘッド２５０の重心の調整が極めて具体的なアート形式であるので、ソールに沿う、重み付けされたインサート２０８の配置の角度θは重要な要素である。より具体的には、角度θとクラブヘッド２５０の体積との間の関係は角度対体積比として計量化でき、ここで角度対体積比は、重み付けされたインサート１０８の配置の角度θをクラブヘッド２５０の体積で除したものとして定義される。この発明は、全般的には、約０．０２度／ｃｃから約０．２５度／ｃｃの間、より好ましくは、約０．０５度／ｃｃから約０．２５度／ｃｃの間、最も好ましくは約０．１０度／ｃｃから約０．２０度／ｃｃの間の角度対体積比を有して良い。
【００８６】
添付図面の図３４は、この発明の代替的な実施例に従う重み付けされたインサート２０８の分解図を示す。重み付けされたインサート２０８は、重み付けされたインサート２０８の重量端部２１６のピースと、重み付けされたインサート２０８の軽量端部２１８のピースとを具備し、これらは、ボルト２２０の周りに取り外し可能に往復どうする円筒ピースから形成される。重量端部２１６のピースおよび軽量端部２１８のピースの配向を逆転させることによって、重み付けされたインサート２０８の重心が調整可能であり、これはこの発明の範囲および内容から逸脱しない。当然のことながら、この発明の複数の代替的な実施例において、質量特性の異なる２つより多くのウエイト部材があって良く、これはこの発明の範囲および内容から逸脱しない。
【００８７】
添付図面の図３５は、この発明の他の代替的な実施例に従う重み付けされたインサート２０８の分解図を示す。この実施例において、重み付けされたインサート２０８は、重量端部２１６のピースと、軽量端部２１８のピースとを有し、双方ともチューブ２２１内にフィットする。上述の実施例と同様に、重量端部２１６のピースおよび軽量端部２１８のピースの配向を逆転させることによって、重み付けされたインサート２０８の重心を変更でき、この結果、ゴルフクラブヘッドの重心が変化する。
【００８８】
添付図面の図３６は、この発明のさらに他の代替的な実施例に従う重み付けされたインサートの断面図を示す。この発明の当該実施例において、重み付けされたインサート２０８は、スクリューのように外部的にネジ切りされた、重量端部２１６のピースを含んで良い。重量端部２１６のピースの外側ネジ溝はチューブ内の内側ネジ溝と係合して良く、もって、重量端部２１６のピースがチューブのネジ切り領域に渡って極少量の調整設定を実現する。重量端部２１６のピースが、重み付けされたインサート２０８の一端の開口を通じて重量端部２１６にピースと係合するツールを介して、チューブ内で回転させられる。
【００８９】
添付図面の図３７は、この発明のさらに他の代替的な実施例に従う重み付けされたインサート２０８の分解図を示し、ここでは代替的なキャップ２１９が使用される。この発明の当該実施例において、キャップ２１９は、「缶切り」形状のノッチまたはスロット２２５と係合するために当該キャップ２１９の端部にボール２２４付きのピン２２３を含んで良い。このボールおよびノッチの実施例によれば、キャップ２１９が、重み付けされたインサート２０８に芯だし可能であり、キャップが解体、組立に際して紛失することを防止できる。図３７は、重み付けされたインサート２０８の重量端部２１６の部分におけるボールおよびノッチを示すだけであるけれども、同様な幾何形状を軽量端部２１８に組み込んで、配向の相互交換性を実現して良く、これはこの発明の範囲および内容から逸脱しない。
【００９０】
添付図面の図３８は、この発明のさらに他の代替的な実施例に従う重み付けされたインサート２０８の分解図を示す。この実施例において、キャップ２１９は、重み付けされたインサート２０８の窪みリム２２７に引っかかるスナップフィット２２６のタイプの機構を用いて、重み付けされたインサートとともに保持される。代替的な実施例において、スナップフィット２２６は、キャップが、重み付けされたインサート２０８から離れるのを祖逸する戻り止めタイプの機構から製造されても良く、これはこの発明の範囲および内容から逸脱しない。重み付けされたインサート２０８は重量端部２１６および軽量端部２１８の双方に窪みリム２２７を有し、もって、キャップ２１９を、重み付けされたインサートのどちらの端部にも配置することができることに留意されたい。これはこの発明の範囲および内容から逸脱しない。
【００９１】
添付図面の図３９は、この発明のさらに他の代替的な実施例に従うゴルフクラブ２５０の分解図を示す。この実施例において、重み付けされたインサート２０８はチューブ２３０を有し、このチューブ２３０は、重み付けされたインサート２０８をゴルフクラブヘッド２５０のキャビティ内の任意の潜在的な破片との接触から遮蔽する。この実施例において、チューブ２３０は、全般的には、重み付けされたインサート２０８の直径より若干大きい直径を有し、キャビティ２０６中へとスナップフィットされ、これはこの発明の範囲および内容から逸脱しない。ただし、他の実施例において、チューブ２３０は、スナップフィットされるのではなく、キャビティ２０６の位置にネジ切りされても良く、もって、構造上の堅固さを実現し、これはこの発明の範囲および内容から逸脱しない。さらに、チューブ２３０は接着剤によって固定されても良く、これはこの発明の範囲および内容から逸脱しない。
【００９２】
この発明の好ましい実施例において、チューブ２３０は、全般的には、付加的な重量を重み付けされたインサートに追加することなく破片からの遮蔽を形成するために、プラスチックタイプの材料から製造されて良い。ただし、重み付けされたインサートの被覆を実現する限り、種々の他の材料を用いて良く、これはこの発明の範囲および内容から逸脱しない。
【００９３】
図４０は、図３９に示すこの発明の実施例に従うチューブ２３０の詳細図を示す。図から理解されるように、チューブ２３０は、チューブ２３０の全長さ方向に伸びるノッチ開口を具備する。これによって、図３９に示すように、チューブがキャビティ２０６中に挿入されたときに、チューブは圧縮でき、その直径を小さくできる。チューブが脱圧縮され、もって、その直径を大きくするとき、これは、全般的にはゴルフクラブヘッドのキャビティ内に特定の配向でスナップ式で入り込み、開口をゴルフクラブヘッドのクラウン部分に対面させる。この発明の代替的な実施例において、開口はゴルフクラブヘッドの背面または前面に向かって方向づけられて良く、もって、ストレスを解消するのを支援し、これはこの発明の範囲および内容から逸脱しない。ゴルフクラブヘッドのキャビティ内のほとんどの破片はゴルフクラブヘッドのソール部分に向けて位置づけられる傾向があるので、チューブの開口をゴルフクラブヘッドのクラウンに方向づけることは有益である。破片に加えて、所定のタイプの接着剤が通常ゴルフクラブヘッドのキャビティ内に注入されて最終的なゴルフクラブヘッドの超量調整を行うことが周知である。接着剤タイプの材料が重み付けされたインサート２０８に接触すると、これがインサート２０８の移動可能性および交換可能性を阻害するかもしれない。この不都合な効果を回避するために、チューブ２３０のカバーがそのような接触を阻止するように形成される。
【００９４】
添付図面の図１４は、この発明の他の代替的な実施例に従う重み付けされたインサート２０８の拡大部分断面図を示す。この実施例において、キャップ２１９を重み付けされた部材２０８の重量端部２１６に固定するために、スナップフィットまたは戻り止め機構を使用するのに代えて、クリップ２３１を使用してキャップ２１９を重み付けされたインサート２０８に固定する。
【００９５】
添付図面の図４２は、この発明の他の代替的な実施例に従う重み付けされたインサート２０８の拡大部分断面図を示す。この実施例において、重み付けされたインサートは、先の実施例のすべてが示したような圧縮でなく、引っ張り力でゴルフクラブヘッド内にされる。この実施例において、重み付けインサート２０８の長さ方向に沿って移動できる往復どう可能なリテーナ２３５があり、これが重み付けされたインサート２０８の停止点を実現する。リテーナ２３５が係合すると、ネジを用いて重み付けされたインサートが固定される。
【００９６】
添付図面の図４３は、この発明の他の代替的な実施例に従う重み付けされたインサート２０８の拡大部分断面図を示す。この発明の当該実施例において、重み付けされたインサート２０８は圧縮状態でも引っ張り状態でもない。そうではなく、重み付けされたインサートは、重量端部２１６および軽量端部２１８の双方にネジ切りを有してよく、もって、より堅固に重み付けされたインサート２０８をゴルフクラブヘッドに取り付ける。
【００９７】
低摩擦の潤滑剤、材料、およびコーティングを、重み付けされたインサート、キャップ、キャビティ、その他ここで説明されたものの、種々の部分に、付加して良い。いくつかの利点の１つには、重み付けされたインサートが、ゴルフクラブヘッドおよびゴルフボールの間の衝突に際し、ロック機構に影響を与えることなく、また重み付けされたインサートが不用意にロック解除されるリスクを最小化して、キャビティ内で自由に回転できることが含まれて良い。低摩擦のコーティングの例は、例えば、物理的な蒸着、テフロン、モリブデンジスルフィド等を含んでよい。
【００９８】
添付図面の図４４は、この発明のさらに他の代替的な実施例に従う重み付けされたインサート２０８の斜視図を示す。図４５は、図４４の重み付けされたインサート３０８を含むゴルフクラブヘッド３５０の断面図を示す。図４６は、図４４の重み付けされたインサート３０８の斜視図を示す。図４７および図４８は、図４５のゴルフクラブヘッド３５０のヘッドロック部材３３０の斜視図を示す。この実施例において、重み付けされたインサート３０８は重量端部３１６および軽量端部３１８を具備する。重み付けされたインサート３０８は、ゴルフクラブヘッド３５０内に形成されたキャビティ３０６中へと挿入でき、この際、図示のとおり重量端部３１６が先に、または軽量端部３１８が先に挿入される。重み付けされたインサート３０８の配向を反転させることによって、ゴルフクラブヘッド３５０の重心を操作できる。ゴルフクラブヘッド３５０は、重み付けされたインサート３０８を収容するように構成されたキャビティ３０６の終端３１２に終端部材３２０を含んで良い。ゴルフクラブヘッド３５０は、重み付けされたインサート３０８を収容するように構成されたヘッドロック部材３３０を含んでも良い。
【００９９】
重み付けされたインサート３０８は、ゴルフクラブヘッド３５０中に当該重み付けされたインサート３０８をロックするように構成されたインサートロック部材３１９を含んで良い。インサートロック部材３１９はヘッドロック部材３３０と係合するように構成して良い。インサートロック部材３１９は、図４６に示すように、インサートロック機構３４２を含んで良い。ヘッドロック部材３３０は図４７および図４８に示すようなヘッドロック機構３３２を含んで良い。インサートロック機構３４２およびヘッドロック機構３３２は、インサートロック部材３１９をヘッドロック部材３３０に対して回転させることにより、重み付けされたインサートをゴルフクラブヘッド３５０のキャビティ３０６内にロックするように構成されて良い。好ましい実施例において、図４４〜図４８に示すように、ヘッドロック部材３３０およびインサートロック部材３１９は、インサートロック部材３１９の１８０度未満の回転で、重み付けされたインサート３０８をロックするように構成されている。より好ましい実施例において、ヘッドロック部材３３０およびインサートロック部材３１９は、１３５度未満の回転で、重み付けされたインサート３０８をロックするように構成されている。より好ましい実施例において、ヘッドロック部材３３０およびインサートロック部材３１９は、９０度未満の回転で、重み付けされたインサート３０８をロックするように構成されている。いくつかの実施例において、図４５および図４６に示すように、インサートロック部材３１９は、重み付けされたインサート３０８の端部に当接して、これをキャビティ３０６の終端の方向に押圧する。いくつかの実施例において、図３８に示されるキャップ２１９と同様に、これは重み付けされたインサート３０８の各端部と取り外し可能に係合されて良い。他の実施例において、インサートロック部材３１９は重み付けされたインサート３０８に固着されて良い。いくつかの実施例において、インサートロック部材３１９は重み付けされたインサート３０８と一体に形成されて良い。いくつかの実施例において、重み付けされたインサートは、当該重み付けされたインサート３０８の端部の双方にインサートロック部材３１９を含んで良い。
【０１００】
図４４、図４７、および図４８に示すように、ヘッドロック部材３３０のヘッドロック機構３３２は、重み付けされたインサート３０８の長さ方向軸に対して角度づけられた少なくとも１つのスロット３３４を含み、この長手方向軸は、重み付けされたインサート３０８の中心を通り抜けて、その長さ方向に伸びる。インサートロック部材３１９は図４６に示すようにスロット３３４内を往復動するように構成された少なくとも１つの突起を含む。インサートロック部材３１９は、ツールと相互作用してユーザがインサートロック部材３１９にトルクを加えることができるように構成されたツール係合機構３０９を含んでも良い。インサートロック部材３１９がヘッドロック部材３３０に対して回転させられるときに、突起がスロット３３４に沿ってスライドして、インサートロック部材３１９を押圧して終端部材３２０の方向に長さ方向に移動させ、重み付けされたインサート３０８をキャビティ３０６の終端３１２の方向に押圧する。さらに、バネ３６０がキャビティ３０６内に含まれて良い。バネ３６０は図４５に示すようにキャビティ３０６の終端３１２の近くに位置決めされて良い。他の実施例において、バネ３６０はキャビティ３０６の解放側３１１に位置決めされて良い。いくつかの実施例において、バネ３６０はインサートロック部材３１９の中に位置決めされて良い。他の実施例において、バネ３６０はキャップ内に位置決めされて良い。バネ３６０は、インサートロック部材３１９が重み付けされたインサート３０８をキャビティ３０６の終端３１２の方向に押圧するときに、圧縮されて良い。ヘッドロック機構３３２は重み付けされたインサート３０８をキャビティ３０６内にロックするロック位置を含んで良い。図４７および図４８に示すように、スロット３３４は戻り止め３３６を含んでよく、もって、インサートロック部材３１９の目一杯の回転によって、インサートロック部材３１９が、重み付けされたインサート３０８に沿ってキャビティ３０６の終端３１２から離れるように、バネ３６０によって、少ない距離だけ、押圧され、インサートロック機構３４２の突起をヘッドロック部材３３０のスロット３３４の戻り止め３３６にロックする。別の観点から戻り止め３３６を説明する。スロット３３４は湾曲点を具備し、もって、インサートロック部材３１９が回転すると、当初はインサートロック部材３１９をキャビティ３０６の終端３１２の方向に押圧するけれども、一旦、インサートロック機構３４２がスロット３３４の湾曲点を通過すると、インサートロック部材３１９はキャビティ３０６の終端３１２から離れるように押圧される。インサートロック部材はバネ３６０によってロック位置に保持され、このバネ３６０がインサートロック機構３４２をスロット３３４の戻り止め３３６に押し込み、インサートロック部材３１９の回転を阻止し、もってウエイトインサート３０８の移動を阻止する。いくつかの実施例において、バネ３６０の例は、コイルバネ、波ワッシャーバネ、円錐ワッシャーバネ、ゴムバネ、エラストマーバネ、並びにこれらの組み合わせ等を含んで良い。
【０１０１】
終端部材３２０および／またはヘッドロック部材３３０は、ゴルフクラブヘッド３５０の種々の部分と一体化されて良く、これら部分は、例えば、ソール（図示のとおり）、スカート、クラウン、その他を含んで良い。終端部材３２０および／またはヘッドロック部材３３０は、ゴルフクラブヘッド３５０と一体に形成されて良く、また別々に形成されてゴルフクラブヘッド３５０に固着されて良く、これは図４５に示すとおりである。終端部材３２０および／またはヘッドロック部材３３０は、種々の態様でゴルフクラブヘッド３５０に固着されて良く、この態様には例えば溶接、接着、ネジ合わせ係合トウを含んで良い。図４５は、ゴルフクラブヘッド３５０のキャビティ３０６中に形成された雌ネジと係合する雄ネジを組み込んだ終端部材３２０およびヘッドロック部材３３０を示す。
【０１０２】
添付図面の図４９は、この発明のさらに他の代替的な実施例に従う重み付けされたインサート４０８の斜視図を示す。図５０は、図４９の重み付けされたインサート４０８を含むゴルフクラブヘッド４５０の断面図を示す。図５１は、図４９の重み付けされたインサート４０８の斜視図を示し、重み付けされたインサート４０８はバネ４６０および中心化部材４６２を含む。図５２は図５１のバネ４６０および中心化部材４６２の斜視図を示す。図５３は、バネ５６０の斜視図を示す。図５４は、低摩擦部材並びに図５３のバネの斜視図を示す。
【０１０３】
重み付けされたインサート４０８は、当該重み付けされたインサート４０８の各端部と一体化されたインサートロック部材４１９を含む。これによって、重み付けされたインサート４０８をひっくり返し、ゴルフクラブヘッド４５０内に再挿入でき、これには、取り外し可能なインサートロック部材を重み付けされたインサート４０８の反対端部に取り外し・再結合する必要がない。ヘッドロック部材４３０およびヘッドロック機構４３２は、付加的なトラック（図示しない）を含んで良く、もって、インサートロック機構４４２が確実に通り抜けるのを可能にして、重み付けされたインサート４０８がゴルフクラブヘッド４５０のキャビティ４０６内に完全に挿入されるようになす。他の実施例において、ヘッドロック部材４３０はキャビティ４０６の中央に位置決めされて良く、インサートロック部材４１９は重み付けされたインサート４０８の中央に位置決めされて良く、もって、重み付けされたインサート４０８の配向と無関係に、単一のインサートロック部材４１９がヘッドロック部材４３０と相互作用できるようになす。
【０１０４】
図５０および図５１に示すように、キャビティ４０６はバネ４６０および中心化部材４６２を含んで良い。バネ４６０は先の実施例で説明したのと同様に働いて良い。図５２に示すバネ４６０は波ワッシャーからなる。付加的には、中央化部材４６２もキャビティ４０６内に配置されて良く、もって、バネ４６０の力を重み付けされたインサート４０８へと伝達する。中心化部材４６２は中心化機構４６４を含んで良く、この中心化機構４６４は、重み付けされたインサート４０８をキャビティ４０６に内部においてキャビティ４０６の終端４１２に中心付けるのを支援するように方向づけられる。中心化部材４６２は、重み付けされたインサート４０８のツール係合機構４０９と係合するように構成されて良い。中心化部材４６２は、重み付けされたインサート４０８またはバネ４６０に対する摩擦係数が小さくなるように構成されて良く、もって、重み付けされたインサート４０８がゴルフクラブヘッド４５０に対して回転できるようになす。他の実施例において、重み付けされたインサート４０８はキャビティ４０６の終端部材の内側壁部によって中心付けされて良い。図５３および図５４に示すように、バネ５６０は、非金属であって良く、ゴム、エラストマー、プラスチック、または他の圧縮材料から構成されて良い。バネ５６０はその表面形状として形成されたレリーフを含んでも良く、バネ５６０がキャビティ４０６の終端４１２内に圧縮されたときに完全に堅固にならないようになす。さらに、重み付けされたインサート５０８およびバネ５６０の表面はテーパー付けされて良く、もって、重み付けされたインサート５０８がゴルフクラブヘッド４５０のキャビティ４０６中に挿入されたときに相互に係合するようになしている。いくつかの実施例において、図５４に示すように、低摩擦部材５６６がバネ５６０および重み付けされたインサート５０８の愛ｄに挿入されて良く、もって、重み付けインサート５０８およびバネ５６０の間の低摩擦化を助長し、重み付けされたインサート５０８が自由に回転可能にする。
【０１０５】
添付図面の図５５は、インサート保持部材６７０の斜視図を示す。図５９に示す実施例は、終端部材６２０およびヘッドロック部材６３０をインサート保持部材６７０に組み込んでいる。これによって、組立体の全体が、単一のピースとしてゴルフクラブヘッド中に恒久的に実装され、組立コストを減少させる。重み付けされたインサート６０８をその場にロックするためのヘッドロック機構６３２を含むことに加えて、インサート保持部材６７０はシャーシ部分６７２（図５５参照）を含んで良く、もって、ゴルフクラブヘッド内の破片および／または加熱溶融物が、重み付けされたインサートと接触するのを防止する。いくつかの実施例において、シャーシ部分はプラスチックのような軽量材料から製造されて良く、また極めて薄く製造されて良い。シャーシは多材料であって良く、複数の開口を具備するベース構造を含み、これが薄い軽量材料により被覆され、キャビティをゴルフクラブヘッド内部の残り部分から隔離する。インサート保持部材は単一ピースから形成されて良く、あるいは複数ピースから構成されて良い。インサート保持部材はゴルフクラブヘッドに多数の態様で恒久的に固着されて良く、これは例えば、接着、溶接等を含んで良い。
【０１０６】
図５６は、スライド型インサートロック部材６１９を具備する重み付けされたインサート６０８の斜視図を示す。図５７は、スライド型インサートロック部材６１９の斜視図を示す。図５８は図５６の重み付けされたインサート６０８の斜視図を示す。図５９は、図５５のインサート保持部材６７０内に実装された、図５６の重み付けされたインサート６０８の断面図を示す。図５６〜図５９のスライド型インサートロック部材６１９は、重み付けされたインサート６０８の配向がひっくり返されたときに、重み付けされたインサート６０８に沿ってスライドするように構成され、もって、これが、キャビティの開口に位置づけられて、ヘッドロック機構を係合し、重み付けされたインサート６０８をその場にロックする。
【０１０７】
重み付けされたインサート６０８は、スライド型インサートロック部材６１９の回転防止機構６４３と係合するように構成された、回転防止機構６４４を含んで良く、もって、重み付けされたインサート６０８にツール係合機構を介して印加されたトルクがスライド型インサートロック部材６１９に伝達可能にし、これによって、スライド型インサートロック部材６１９がヘッドロック部材６３０に対して回転させられ、重み付けされたインサート６０８をその場にロックする。図５９に示す実施例において、ヘッドロック部材６３０はインサート保持部材６７０と一体化され、上述のものと類似のヘッドロック機構６３２を含む。
【０１０８】
図５６に示すように、重み付けされたインサート６０８の回転防止機構６４４は、重み付けされたインサート６０８から突出し、スライド型インサートロック部材６１９と係合するように構成されたレールを含んで良い。図５７に示すように、スライド型インサートロック部材６１９の回転防止機構６４３は重み付けされたインサート６０８のレールと係合するように構成された溝を含んで良い。いくつかの実施例において、溝およびレールはスプラインに似て良い。他の実施例において、役割が逆転されて良く、重み付けされたインサートが溝を含み、スライド型インサートロック部材６１９がレールを含んで良い。さらに、図５７および図５９に示すように、スライド型インサートロック部材６１９は、さらに、当該スライド型インサートロック部材６１９を重み付けされたインサート６０８の端部でロックするように構成されたスライドロック６８０を含んで良い。図５７および図５９に示すように、スライドロック６８０が１または複数の変形可能アーム６８２を含んで良く、この変形可能アーム６８２の各々は、棚６８４を具備し、この棚６８４は、それが重み付けされたインサート６０８の端部に滑り込んだら、重み付けされたインサート６０８の端部を把持するように構成されている。ユーザが、スライド型インサートロック部材６１９を重み付けされたインサート６０８の反対端部に滑り込ませたいときには、閾値のスライド力をスライド型インサートロック部材６１９に印加され、変形可能アーム６８２が変形し、スライド型インサートロック部材６１９を重み付けされたインサート６０８の端部からロック解除し、これを多端に滑り込ませることができるようになす。スライド型インサートロック部材６１９は、当該スライド型インサートロック部材６１９の反対端部にスライドロック６８０を有して良く、これは、スライド型インサートロック部材６１９を重み付けされたインサート６０８の反対端部にロックするように構成されている。
【０１０９】
図６０は、図５６の重み付けされたインサートおよびスライド型インサートロック部材の他の実施例の斜視図を示す。図６１は、図６０の重み付けされたインサート７０８およびスライド型インサートロック部材７１９の断面図を示す。図６０および図６１に示す実施例において、スライド型インサートロック部材７１９のインサートロック機構７４２は図３８に示すキャップ２１９と類似のネジ溝を有し、これがヘッドロック部材（図示しない）のネジ溝と係合するように構成され、これはここで説明されるヘッドロック機構およびインサートロック機構と反対である。
【０１１０】
図６２は重み付けされたインサート８０８の他の実施例の斜視図を示す。図６３は、図６２の重み付けされたインサート８０８の部品の斜視図を示す。図６４は図６２の重み付けされたインサート８０８の断面図を示す。図６２〜図６４に示す重み付けされたインサート８０８は内部にバネ８６０を含み、ゴルフクラブヘッドのキャビティ内に付加的なバネを必要としない。重み付けされたインサート８０８は第１部分８７４および第２部分８７５を含み、当該第２部分８７５は重み付けされたインサートの軸に沿って長手方向に第１部分８７４との関係でスライドするように構成されている。１実施例においては、図６４に示すように、重み付けされたインサート８０８はさらに第３部分を有して良い。第１部分８７４は第３部分８７６に固着されて良い。第３部分８７６は、第２部分８７５をス零度させて収容するように構成されたスライド穴６１を含んで良い。第２部分８７５は第３部分８７６のスライド穴８６１中にスライドするように構成されて良い。さらに、スライド穴８６１はバネ８６０を含んで良く、このバネ８６０は第２部分８７５を第１部分８７４から話すように力印加を行いように構成されている。さらに、第２部分８７５はスライド止め８７８を含んで良く、このスライド止め８７８は、一旦組み立てられると、第２部分８７５の第３部分８７６に対する移動を限定するように構成されている。他の実施例において、第１部分８７４は第３部分８７６と一体に形成されて良い。
【０１１１】
図６５は、重み付けされたインサート９０８の他の実施例の斜視図を示す。図６６は、図６５の重み付けされたインサート９０８の断面図を示す。図６２〜図６４の重み付けされたインサート８０８と同様に、図６５および図６６の重み付けされたインサート９０８は、付加的なバネを必要としない。重み付けされたインサート９０８は、ここで説明される他のヘッドロック機構およびインサートロック機構と関連して使用されるときにその長さを減少させ、または増大させるように構成されているのである。図６５および図６６の重み付けされたインサート９０８は、当該重み付けされたインサート９０８の一端に第１部分９７４を含み、当該重み付けされたインサート９０８の多端に第２部分９７５を含む。重み付けされたインサート９０８は、また、第１部分９７４および第２部分９７５の双方に固着された第３部分９７６を含む。第３部分９７６は、重み付けされたインサート９０８がその両端で一緒に押圧されたときに、その長さを長手軸に沿って変化させるように構成されている。図６５および図６６に示すように、第３部分９７６はその長さの少なくとも一部に沿って螺旋切断部を含んで良く、もって、第３部分９７６がバネ９６０として働ける。さらに、ウエイトインサート９０８は第３部分９７６内でスライドするように構成された第４部分９７７を含んで良く、これが、ウエイトインサート９０８の軸に沿っていない、どのような変形も阻止し、これは例えば座屈である。他の実施例において、第４部分９７７は第３部分９７６のそばに位置決めされて良い。
【０１１２】
ここで説明された実施例にいくつかは、重み付けされたインサートか、バネを伴う重み付けされたインサートのいずれかの圧縮を必要とする。付加的な実施例において、ヘッドロック機構およびインサートロック機構は重み付けされたインサートを圧縮状態でなく引っ張り状態で実装して良く、これが重み付けインサートその場にロックする。図７６は、重み付けされたインサート１３０８の付加的な実施例の斜視図を示す。図７７は、図７６の重み付けされたインサート１３０８の断面図を示す。重み付けされたインサート１３０８は、当該重み付けされたインサート１３０８の一端に第１部分１３７４を含み、当該重み付けされたインサート１３０８の多端に第２部分１３７５を含む。ウエイトインサートは、また、第１部分１３７４および第２部分１３７５の双方に固着された第３部分１３７６を含む。第３部分１３７６は、重み付けされたインサート１３０８がその両端で一緒に引き離されるときに、その長さを長手軸に沿って変化させるように構成されている。図７６および図７７に示すように、第３部分１３７６はアコーディオン状の構造を含んで良く、もって、第３部分１３７６がバネのように働ける。重み付けされたインサート１３０８は、第１部分１３７４、第２部分１３７５、および第３部分１３７６の外側の周りに第４部分１３７７を含んで良く、これが、ウエイトインサート１３０８の軸に沿っていない、どのような変形も阻止し、これは例えば座屈（図示しない）である。図７６および図７７に示す重み付けされたインサート１３０８のような張力が付与された重み付けされたインサートにおいては、ヘッドロック機構の溝が、重み付けされたインサート１３０８をゴルフクラブヘッドに対して回転させると重み付けされたインサート１３０８を引き延ばすような角度で、配向されている。さらに、戻り止めが、重み付けされたインサート１３０８がロック位置にあるときの張力によって、重み付けされたインサート１３０８のプレイ中の当該戻り止めからの外れ出しを防止するように構成されていて良い。重み付けされたインサート１３０８は、また、インサートロック機構１３１９を、好ましくは、重み付けされたインサートの両端に含んで良い。ロック機構１３１９はヘッドロック機構と相互作用するように構成された突起１３４２を含んで良い。
【０１１３】
図６７は、ウエイトインサート１００８の付加的な実施例の斜視図を示す。図６８は、図６７のウエイトインサート１００８を収容するように構成されたインサート保持部材１０７０の斜視図を示す。図６９は、図６８のインサート保持部材１０７０の端面図を示す。図７０は、図６８のインサート保持部材１０７０に実装された図６７のウエイトインサート１００８の断面図を示す。ウエイトインサート１００８は回転してロック位置に入り込むように構成され、その際、重み付けされたインサート１００８がゴルフクラブヘッドのキャビティ内に長手方向に移動する必要がない。重み付けされたインサート１００８のインサートロック機構１０４２は、少なくとも１つの突起を有する。図６７に示すように、インサートロック機構１０４２は少なくとも一対の突起を有し、それらの間にレリーフを有する。突起はレールのような形状で良く、重み付けされたインサート１００８の軸に実質的に平行な方向に伸びる。インサート保持部材１０７０は少なくとも１つの溝１０８５を含み、もって、インサートロック機構１０４２がインサート保持部材１０７０に装填されるときにこれを収容する。さらに、インサート保持部材１０７０は、対応するヘッドロック機構１０３２を含む。インサート保持部材１０７０のヘッドロック機構１０３２は突起１０８７を含み、この突起１０８７はインサートロック機構１０４２のレリーフ１０４６と係合するようになっている。ヘッドロック機構１０３２の突起１０８７は変形可能なアーム１０８３に形成されて良く、これは、重み付けされたインサート１００８が回転されるときに変形し、こののち、ヘッドロック機構１０３２の突起１０８７がインサートロック機構１０４２のレリーフ１０４６と係合するときにはね戻り、重み付けされたインサート１００８をゴルフクラブヘッド中にロックする。図６７に示すように重み付けされたインサート１００８は当該重み付けされたインサート１００８の各端部にインサートロック機構１０４２を含んで良い。他の実施例において、インサートロック機構１０４２はスライド型インサートロック部材にあって良い。
【０１１４】
図７１は、重み付けされたインサート１１０８の付加的な実施例を示す。図７２は、図７１の重み付けされたインサート１１０８を収容するように構成されたインサート保持部材１１７０の斜視図を示す。重み付けされたインサート１１０８は図６７〜図７０の重み付けされたインサートと類似であるけれども、インサートロック機構１１４２の突起およびレリーフは重み付けされたインサート１１０８の長さ方向から斜めに伸びている。さらに、ヘッドロック機構１１３２の突起１１８７も角度付けられ、インサートロック機構１１４２と係合するようになっている。
【０１１５】
図７３は、インサート保持部材１２７０の付加的な実施例を示す。図７４は、図７３のインサート保持部材１２７０中に配置するように構成された重み付けされたインサートの付加的な実施例を示す。図７５は、図７３および図７４のインサート保持部材１２７０および重み付けされたインサート１２０８の断面図を示す。重み付けされたインサート１２０８は図６７〜図７２の重み付けされたインサートと類似であるけれども、わずかな重要な相違がある。一対の突起に代えてインサートロック機構１２４２はレリーフのない単一の突起を含む。さらに、突起の先端がテーパー付けされ、もって、インサート保持部材のヘッドロック機構１２３２の対応するテーパーと接触し、重み付けされたインサート１２０８がロック位置の時に当該重み付けられたインサート１２０８がクラブヘッド内で長さ方向に移動するのを制約するようになっている。さらに、先の実施例のように、ヘッドロック機構１２３２の変形可能アーム１２８２が重み付けされたインサート１２０８の長さ方向軸に直角に整合させられるのではなく、変形可能アーム１２８２は重み付けされたインサート１２０８の長さ方向軸に斜めに整合させられ、もって、重み付けされたインサート１２０８が回転させられてロック位置に入り込むときに、インサートロック機構１２４２およびヘッドロック機構１２３２は、重み付けされたインサート１２０８のインサート保持部材１２７０に対する回転を制限するだけでなく、重み付けされたインサート１２０８をインサート保持部材１２７０の終端１２１２の方向に押圧する。この特徴によって、重み付けされたインサートは一旦、ロック位置に入ったのち、クラブヘッド内で移動することが少なくなり、クラブヘッドがゴルフボールを打撃したときに音が生じるのを阻止できる。
【０１１６】
好ましい実施例において、ここで説明したヘッドロック機構およびインサートロック機構は、インサートロック部材の１８０度未満の回転で、重み付けされたインサートをロックするように構成されている。より好ましい実施例においては、ヘッドロック機構およびインサートロック機構は、１３５度未満の回転で、重み付けされたインサート３０８をロックするように構成されている。さらに好ましい実施例においては、ヘッドロック機構およびインサートロック機構は、９０度未満の回転で、重み付けされたインサート３０８をロックするように構成されている。さらに、ここで説明されたヘッドロック機構およびインサートロック機構は他の実施例に組み込むことができ、例えば、図３８に説明される実施例のキャップ２１９のネジ溝を置換できる。
【０１１７】
いくつかの実施例において、ここで説明された、重み付けされたインサートは重量端部および軽量端部を具備しなくて良く、その長さ方向に沿って中心に位置決めされるＣＧを有して良い。そのような中立的な、重み付けされたインサートは、重量端部および軽量端部を伴う慣用的な重み付けされたインサートに加えてオプションとして採用されるならば、ゴルフクラブヘッドのさらなるＣＧ位置オプションを実現するであろう。
【０１１８】
ここで説明され、図示されたインサートロック機構は、全般的には、重み付けされたインサートの端部から離れている。いくつかの実施例において、図示しないけれども、インサートロック機構は重み付けされたインサートの単所の直近に位置決めされて良い。さらに、ここで説明され、図示され、図示されたヘッドロック機構のスロットは、全般的には、インサートロック部材をゴルフクラブヘッドに対して回転させることにより、重み付けされたインサートをゴルフクラブヘッドにきつくロックすることを可能にする。いくつかの実施例において、図示しないけれども、重み付けされたインサートのロックまたはロック解除は、インサートロック部材の回転のみでなく、ツールを用いてインサートロック部材に対して、重み付けされたインサートの長さ方向軸に沿って力を加えて実現して良い。さらに、ここで説明され、図示された重み付けされたインサートは全般的には重量端部および軽量端部を具備し、もって重心が寸法中心からずれるようになっている。付加的な実施例において、重み付けされたインサートはずれた重心を有しなくてよい。重み付けされたインサートは、例えば、２つの重量端部または２つの軽量端部を有して良い。付加的な実施例において、ここで説明され、図示されたインサートロック部材はシールを含んで、もって、キャビティおよび／またはゴルフクラブヘッドに流体や粒子が入ってきたり、出て行ったりするのを阻止して良い。
【０１１９】
この技術を説明するにあたり、別々の実施例の文脈で説明される所定の複数の特徴は、単一の実施例においてコンビネーションとしても実装できる。逆に、単一の実施例の文脈で説明される種々の特徴が、複数の実施例で個別に実装でき、また任意の適切なサブコンビネーションで実装できる。さらに、複数の特徴は所定のコンビネーションにおいて実施するように先に説明したかもしれず、またそのように、当初、特許請求の範囲に記載したかもしれないが、そのように記載されたコンビネーションから、１または複数の特徴をある場合にはそのコンビネーションから除去して良く、そのようなクレームのコンビネーションはサブコンビネーションまたはサブコンビネーションの変形に向けられて良い。
【０１２０】
この開示において説明した実施態様の種々の変形が当業者には明らかであり、ここに定義される包括的な原理はこの開示の趣旨または範囲から逸脱することなしに他の実施態様に適応されて良い。特許請求の範囲は、ここに示される実施態様に限定されることを意図せず、この開示、ならびにここに開示された原理および新規な特徴と合致する最も広い範囲のものに準拠すべきである。
以下、ここで説明した技術的特徴を列挙する。
［技術的特徴１］
フェース、ソール、クラウン、並びに、上記フェース、上記ソール、および上記クラウンを結合するスカートを具備し、重心を有する本体を有するゴルフクラブヘッドにおいて、
上記本体は、上記フェースに平行に位置決めされるｘ−軸、上記フェースに鉛直に位置決めされるｙ−軸、および上記フェースを通り抜けて位置決めされるｚ−軸を伴う座標を有し、
上記本体はキャビティを有し、
上記キャビティは開口端部および終端端部を有し、上記終端端部は上記開口端部の反対側であり、
重み付けされたインサートを有し、上記重み付けされたインサートは重量端部および軽量端部を有し、上記軽量端部は上記重量端部の反対側であり、
上記重み付けされたインサートは、当該重み付けされたインサートの中心に沿い上記開口端部および上記終端端部を通り抜ける長さ方向インサート軸を有し、
上記キャビティは、当該キャビティの中心に沿い上記開口端部および上記終端端部を通り抜ける長さ方向キャビティ軸を有し、
上記キャビティは、上記重み付けされたインサートを上記開口端部を通じて第１の構成および第２の構成の双方で収容するように構成され、
上記第１の構成は、上記キャビティの上記終端端部の近くに上記重み付けされたインサートの上記重量端部を有し、
上記第２の構成は、上記キャビティの上記終端端部の近くに上記重み付けされたインサートの上記軽量端部を有し、
上記キャビティはヘッドロック機構を有し、
上記重み付けされたインサートはインサートロック機構を有し、
上記インサートロック機構は、上記インサートロック機構が上記ヘッドロック機構に対して回転させられるときに上記ヘッドロック機構と係合するように構成され、
上記インサートロック機構は、上記インサートロック機構の上記ヘッドロック機構に対する１８０度未満の回転によって上記重み付けされたインサートを上記キャビティ内にロックするように構成され、
上記ヘッドロック機構はスロットを有し、上記スロットは上記キャビティの上記長さ方向軸に対して斜めに配列され、
上記インサートロック機構は、上記スロットと係合するように構成された突起を有し、上記突起および上記スロットは、上記インサートロック機構の上記ヘッドロック機構に対する回転によって上記インサートロック機構が押圧されて上記キャビティの上記長さ方向軸に沿って上記キャビティの上記終端端部側にスライドするように構成されることを特徴とするゴルフクラブヘッド。
［技術的特徴２］
上記スロットは、上記インサートロック機構がロック位置にあるときに上記突起を収容するように構成された戻り止めを有する技術的特徴１記載のゴルフクラブヘッド。
［技術的特徴３］
さらに、上記キャビティ内にバネを有し、上記バネは上記重み付けされたインサートを上記キャビティの上記終端端部から離間させる方向に押圧するように構成される技術的特徴２記載のゴルフクラブヘッド。
［技術的特徴４］
上記バネは、上記突起を上記戻り止めに押圧して上記インサートロック機構を上記ヘッドロック機構に対してロックするように構成される技術的特徴３記載のゴルフクラブヘッド。
［技術的特徴５］
上記インサートロック機構は上記重み付けされたインサートの上記軽量端部に位置決めされ、上記重み付けされたインサートは、上記重み付けされたインサートの上記重量端部に位置決めされた第２のインサートロック機構をさらに有する技術的特徴１記載のゴルフクラブヘッド。
［技術的特徴６］
上記重み付けされたインサートは、上記ゴルフクラブヘッドの重心を上記ｚ−軸および上記ｘ−軸の双方に沿って調整するように構成される技術的特徴１記載のゴルフクラブヘッド。
［技術的特徴７］
上記インサートロック機構は、上記インサートロック機構の上記ヘッドロック機構に対する９０度未満の回転で、上記重み付けされたインサートを上記キャビティ内にロックするように構成される技術的特徴１記載のゴルフクラブヘッド。
［技術的特徴８］
フェース、ソール、クラウン、並びに、上記フェース、上記ソール、および上記クラウンを結合するスカートを具備し、重心を有する本体を有するゴルフクラブヘッドにおいて、
上記本体は、上記フェースに平行に位置決めされるｘ−軸、上記フェースに鉛直に位置決めされるｙ−軸、および上記フェースを通り抜けて位置決めされるｚ−軸を伴う座標を有し、
上記本体はキャビティを有し、
上記キャビティは開口端部および終端端部を有し、上記終端端部は上記開口端部の反対側であり、
重み付けされたインサートを有し、上記重み付けされたインサートは重量端部および軽量端部を有し、上記軽量端部は上記重量端部の反対側であり、
上記重み付けされたインサートは、当該重み付けされたインサートの中心に沿い上記開口端部および上記終端端部を通り抜ける長さ方向インサート軸を有し、
上記キャビティは、当該キャビティの中心に沿い上記開口端部および上記終端端部を通り抜ける長さ方向キャビティ軸を有し、
上記キャビティは、上記重み付けされたインサートを上記開口端部を通じて第１の構成および第２の構成の双方で収容するように構成され、
上記第１の構成は、上記キャビティの上記終端端部の近くに上記重み付けされたインサートの上記重量端部を有し、
上記第２の構成は、上記キャビティの上記終端端部の近くに上記重み付けされたインサートの上記軽量端部を有し、
上記キャビティはヘッドロック機構を有し、
上記重み付けされたインサートの上記軽量端部および上記重量端部の一方に選択的に結合するように構成されたインサートロック部材を有し、
上記インサートロック部材はインサートロック機構を有し、
上記インサートロック機構は、上記インサートロック機構が上記ヘッドロック機構に対して回転させられるときに上記ヘッドロック機構と係合するように構成され、
上記インサートロック機構は、上記インサートロック機構の上記ヘッドロック機構に対する１８０度未満の回転によって上記重み付けされたインサートを上記キャビティ内にロックするように構成され、
上記ヘッドロック機構はスロットを有し、上記スロットは上記キャビティの上記長さ方向軸に対して斜めに配列され、
上記インサートロック機構は、上記スロットと係合するように構成された突起を有し、上記突起および上記スロットは、上記インサートロック機構の上記ヘッドロック機構に対する回転によって上記インサートロック機構が押圧されて上記キャビティの上記長さ方向軸に沿って上記キャビティの上記終端端部側にスライドするように構成されることを特徴とするゴルフクラブヘッド。
［技術的特徴９］
上記スロットは、上記インサートロック機構がロック位置にあるときに上記突起を収容するように構成された戻り止めを有する技術的特徴８記載のゴルフクラブヘッド。
［技術的特徴１０］
さらに、上記キャビティ内にバネを有し、上記バネは上記重み付けされたインサートを上記キャビティの上記終端端部から離間させる方向に押圧するように構成される技術的特徴９記載のゴルフクラブヘッド。
［技術的特徴１１］
上記バネは、上記突起を上記戻り止めに押圧して上記インサートロック機構を上記ヘッドロック機構に対してロックするように構成される技術的特徴１０記載のゴルフクラブヘッド。
［技術的特徴１２］
上記インサートロック部材は、上記重み付けされたインサートの重量端部および軽量端部に取り外し可能に結合するように構成されるキャップを有する技術的特徴８記載のゴルフクラブヘッド。
［技術的特徴１３］
上記重み付けされたインサートは、上記ゴルフクラブヘッドの重心を上記ｚ−軸および上記ｘ−軸の双方に沿って調整するように構成される技術的特徴８記載のゴルフクラブヘッド。
［技術的特徴１４］
上記インサートロック部材は、上記インサートロック部材の上記ヘッドロック機構に対する９０度未満の回転で、上記重み付けされたインサートを上記キャビティ内にロックするように構成される技術的特徴８記載のゴルフクラブヘッド。
［技術的特徴１５］
フェース、ソール、クラウン、並びに、上記フェース、上記ソール、および上記クラウンを結合するスカートを具備し、重心を有する本体を有するゴルフクラブヘッドにおいて、
上記本体は、上記フェースに平行に位置決めされるｘ−軸、上記フェースに鉛直に位置決めされるｙ−軸、および上記フェースを通り抜けて位置決めされるｚ−軸を伴う座標を有し、
上記本体はキャビティを有し、
上記キャビティは開口端部および終端端部を有し、上記終端端部は上記開口端部の反対側であり、
重み付けされたインサートを有し、上記重み付けされたインサートは重量端部および軽量端部を有し、上記軽量端部は上記重量端部の反対側であり、
上記重み付けされたインサートは、当該重み付けされたインサートの中心に沿い上記開口端部および上記終端端部を通り抜ける長さ方向インサート軸を有し、
上記キャビティは、当該キャビティの中心に沿い上記開口端部および上記終端端部を通り抜ける長さ方向キャビティ軸を有し、
上記キャビティは、上記重み付けされたインサートを上記開口端部を通じて第１の構成および第２の構成の双方で収容するように構成され、
上記第１の構成は、上記キャビティの上記終端端部の近くに上記重み付けされたインサートの上記重量端部を有し、
上記第２の構成は、上記キャビティの上記終端端部の近くに上記重み付けされたインサートの上記軽量端部を有し、
上記キャビティはヘッドロック機構を有し、
上記重み付けされたインサートに沿ってスライドして上記重み付けされたインサートの上記軽量端部および上記重量端部の一方に選択的に結合するように構成されたインサートロック部材を有し、
上記インサートロック部材はインサートロック機構を有し、
上記インサートロック機構は、上記インサートロック機構が上記ヘッドロック機構に対して回転させられるときに上記ヘッドロック機構と係合するように構成され、
上記インサートロック機構は、上記インサートロック機構の上記ヘッドロック機構に対する１８０度未満の回転によって上記重み付けされたインサートを上記キャビティ内にロックするように構成され、
上記重み付けされたインサートは回転防止機構を有し、
上記インサートロック部材は回転防止機構を有し、
上記重み付けされたインサートの回転防止機構が、上記インサートロック部材の回転防止機構と係合して上記重み付けされたインサートが上記インサートロック部材に対して回転するのを防止するように構成されることを特徴とするゴルフクラブヘッド。
［技術的特徴１６］
上記ヘッドロック機構はスロットを有し、上記スロットは上記キャビティの上記長さ方向軸に対して斜めに配列され、上記インサートロック機構は、上記スロットと係合するように構成された突起を有し、上記突起および上記スロットは、上記インサートロック機構の上記ヘッドロック機構に対する回転によって上記インサートロック機構が押圧されて上記キャビティの上記長さ方向軸に沿って上記キャビティの上記終端端部側にスライドするように構成され、上記スロットは、上記インサートロック機構がロック位置にあるときに上記突起を収容するように構成された戻り止めを有する技術的特徴１５記載のゴルフクラブヘッド。
［技術的特徴１７］
さらに、上記キャビティ内にバネを有し、上記バネは上記重み付けされたインサートを上記キャビティの上記終端端部から離間させる方向に押圧するように構成される技術的特徴１６記載のゴルフクラブヘッド。
［技術的特徴１８］
上記バネは、上記突起を上記戻り止めに押圧して上記インサートロック機構を上記ヘッドロック機構に対してロックするように構成される技術的特徴１７記載のゴルフクラブヘッド。
［技術的特徴１９］
さらに、インサート保持部材を有し、上記インサート保持部材は、シャーシを有し、上記シャーシは、上記キャビティと上記重み付けされたインサートとを分離するように構成される技術的特徴１５記載のゴルフクラブヘッド。
【符号の説明】
【０１２１】
５０    ゴルフクラブヘッド
５２    本体
５４    打撃フェース
５６    ソール
５８    クラウン
６０    スカート
６１    スライド穴
６２    ホーゼル
６４    内部ボリューム
６６    トウ
６８    ヒール
７０    重りシステム
３０６    キャビティ
３０８    重み付けされたインサート
３０９    ツール係合機構
３１１    解放側
３１２    終端
３１６    重量端部
３１８    軽量端部
３１９    インサートロック部材
３２０    終端部材
３３０    ヘッドロック部材
３３２    ヘッドロック機構
３３４    スロット
３４２    インサートロック機構
３５０    ゴルフクラブヘッド
３６０    バネ
４０６    キャビティ
４０８    重み付けされたインサート
４０９    ツール係合機構
４１２    終端
４１９    インサートロック部材
４３０    ヘッドロック部材
４３２    ヘッドロック機構
４４２    インサートロック機構
４５０    ゴルフクラブヘッド
４６０    バネ
４６２    中心化部材
４６４    中心化機構
５０８    重み付けされたインサート
５６０    バネ
５６６    低摩擦部材
６０８    重み付けされたインサート
６１９    スライド型インサートロック部材
６２０    終端部材
６３０    ヘッドロック部材
６３２    ヘッドロック機構
６４３    回転防止機構
６４４    回転防止機構
６７０    インサート保持部材
６７２    シャーシ部分
６８０    スライドロック
６８２    変形可能アーム
６８４    棚
７０８    重み付けされたインサート
７１９    スライド型インサートロック部材
７４２    インサートロック機構
８０８    重み付けされたインサート
８６０    バネ
８６１    スライド穴
８７４    第１部分
８７５    第２部分
８７６    第３部分
９０８    重み付けされたインサート
９６０    バネ
９７４    第１部分
９７５    第２部分
９７６    第３部分
９７７    部分
１００８    重み付けされたインサート
１０３２    ヘッドロック機構
１０４２    インサートロック機構
１０４６    レリーフ
１０７０    インサート保持部材
１０８３    アーム
１０８５    溝
１０８７    突起
１１０８    重み付けされたインサート
１１３２    ヘッドロック機構
１１４２    インサートロック機構
１１７０    インサート保持部材
１１８７    突起
１２０８    重み付けされたインサート
１２１２    終端
１２３２    ヘッドロック機構
１２４２    インサートロック機構
１２７０    インサート保持部材
１２８２    変形可能アーム
１３０８    重み付けされたインサート
１３１９    インサートロック機構
１３４２    突起
１３７４    第１部分
１３７５    第２部分
１３７６    第３部分
１３７７    第４部分
【図１】
0006340400.tif 000002
【図２】
0006340400.tif 000003
【図３Ａ】
0006340400.tif 000004
【図３Ｂ】
0006340400.tif 000005
【図４Ａ】
0006340400.tif 000006
【図４Ｂ】
0006340400.tif 000007
【図４Ｃ】
0006340400.tif 000008
【図４Ｄ】
0006340400.tif 000009
【図５】
0006340400.tif 000010
【図６】
0006340400.tif 000011
【図７Ａ】
0006340400.tif 000012
【図７Ｂ】
0006340400.tif 000013
【図８】
0006340400.tif 000014
【図９】
0006340400.tif 000015
【図１０Ａ】
0006340400.tif 000016
【図１０Ｂ】
0006340400.tif 000017
【図１１】
0006340400.tif 000018
【図１２Ａ】
0006340400.tif 000019
【図１２Ｂ】
0006340400.tif 000020
【図１３】
0006340400.tif 000021
【図１４】
0006340400.tif 000022
【図１５】
0006340400.tif 000023
【図１６】
0006340400.tif 000024
【図１７】
0006340400.tif 000025
【図１８】
0006340400.tif 000026
【図１９】
0006340400.tif 000027
【図２０】
0006340400.tif 000028
【図２１】
0006340400.tif 000029
【図２２】
0006340400.tif 000030
【図２３】
0006340400.tif 000031
【図２４】
0006340400.tif 000032
【図２５】
0006340400.tif 000033
【図２６】
0006340400.tif 000034
【図２７】
0006340400.tif 000035
【図２８】
0006340400.tif 000036
【図２９】
0006340400.tif 000037
【図３０】
0006340400.tif 000038
【図３１】
0006340400.tif 000039
【図３２】
0006340400.tif 000040
【図３３】
0006340400.tif 000041
【図３４】
0006340400.tif 000042
【図３５】
0006340400.tif 000043
【図３６】
0006340400.tif 000044
【図３７】
0006340400.tif 000045
【図３８】
0006340400.tif 000046
【図３９】
0006340400.tif 000047
【図４０】
0006340400.tif 000048
【図４１】
0006340400.tif 000049
【図４２】
0006340400.tif 000050
【図４３】
0006340400.tif 000051
【図４４】
0006340400.tif 000052
【図４５】
0006340400.tif 000053
【図４６】
0006340400.tif 000054
【図４７】
0006340400.tif 000055
【図４８】
0006340400.tif 000056
【図４９】
0006340400.tif 000057
【図５０】
0006340400.tif 000058
【図５１】
0006340400.tif 000059
【図５２】
0006340400.tif 000060
【図５３】
0006340400.tif 000061
【図５４】
0006340400.tif 000062
【図５５】
0006340400.tif 000063
【図５６】
0006340400.tif 000064
【図５７】
0006340400.tif 000065
【図５８】
0006340400.tif 000066
【図５９】
0006340400.tif 000067
【図６０】
0006340400.tif 000068
【図６１】
0006340400.tif 000069
【図６２】
0006340400.tif 000070
【図６３】
0006340400.tif 000071
【図６４】
0006340400.tif 000072
【図６５】
0006340400.tif 000073
【図６６】
0006340400.tif 000074
【図６７】
0006340400.tif 000075
【図６８】
0006340400.tif 000076
【図６９】
0006340400.tif 000077
【図７０】
0006340400.tif 000078
【図７１】
0006340400.tif 000079
【図７２】
0006340400.tif 000080
【図７３】
0006340400.tif 000081
【図７４】
0006340400.tif 000082
【図７５】
0006340400.tif 000083
【図７６】
0006340400.tif 000084
【図７７】
0006340400.tif 000085